(57)【要約】【課題】留守番電話機能で提供できる機能をより充実させることができること。【解決手段】留守番電話センターと、留守番電話センターに留守番電話設定を登録する第１携帯電話機と、表示部と操作部とを備え、第１携帯電話機に電話をかける第２携帯電話機と、第１携帯電話機と第２携帯電話機と留守番電話センターとを通信可能に接続する電話通信網と、を有し、留守番電話センターは、第２携帯電話機から第１携帯電話機に電話がかけられ、留守番電話設定を実行すると判定した場合、留守番電話設定に基づいて広告画像を添付した返信プログラムを添付した留守番電話メッセージを作成して、第２携帯電話機に送信し、第２携帯電話機は、留守番電話メッセージを受信した場合、広告画像が重ねられた返信プログラムの画像を表示部に表示させる。【選択図】図１
2014039197.tif 000002
【特許請求の範囲】
【請求項１】
留守番電話センターと、
前記留守番電話センターに留守番電話設定を登録する第１携帯電話機と、
表示部と操作部とを備え、前記第１携帯電話機に電話をかける第２携帯電話機と、
前記第１携帯電話機と前記第２携帯電話機と前記留守番電話センターとを通信可能に接続する電話通信網と、を有し、
前記留守番電話センターは、前記第２携帯電話機から前記第１携帯電話機に電話がかけられ、前記留守番電話設定を実行すると判定した場合、前記留守番電話設定に基づいて広告画像を添付した返信プログラムを添付した留守番電話メッセージを作成して、前記第２携帯電話機に送信し、
第２携帯電話機は、前記留守番電話メッセージを受信した場合、前記広告画像が重ねられた前記返信プログラムの画像を前記表示部に表示させる通信システム。
【請求項２】
前記第２携帯電話機は、前記留守番電話メッセージを受信した場合、前記表示部に前記留守番電話メッセージに含まれるメッセージを表示させた状態で、前記返信プログラムを表示させる操作を前記操作部で検出したら前記広告画像が重ねられた前記返信プログラムの画像を前記表示部に表示させる請求項１に記載の通信システム。
【請求項３】
前記第２携帯電話機は、前記広告画像が重ねられた前記返信プログラムの画像を前記表示部に表示させ、前記広告画像を選択する操作を前記操作部で検出した場合、前記返信プログラムに基づいて処理を実行し、前記返信プログラムに含まれる前記広告画像に関連する別の画像を表示させる請求項１または２に記載の通信システム。
【請求項４】
前記第２携帯電話機は、前記広告画像に関連する別の画像を表示させている状態で、さらに前記広告画像に関連する処理を選択する操作を前記操作部で検出した場合、前記電話通信網を介して前記留守番電話センターと通信を行い、前記広告画像に関連する情報を取得する請求項３に記載の通信システム。
【請求項５】
前記別の画像は、前記広告画像に関連付けられた操作の項目を表示させる画像を含む請求項３または４に記載の通信システム。
【請求項６】
前記別の画像は、前記留守番電話センターで作成されたアンケートの画像を含む請求項３から５のいずれか一項に記載の通信システム。
【請求項７】
前記留守番電話センターは、前記留守番電話設定で返信プログラムの添付が選択されている場合、前記留守番電話メッセージに前記広告画像を添付した返信プログラムを添付し、
前記留守番電話設定で返信プログラムの添付が選択されていない場合、前記留守番電話メッセージに前記返信プログラムを添付しない請求項１から６のいずれか一項に記載の通信システム。
【請求項８】
前記第１携帯電話機と前記第１携帯電話機に対応付けられたクレジットカード番号との情報を備えるクレジットカード会社サーバをさらに有し、
クレジットカード会社サーバは、前記クレジットカード番号の利用情報を取得した場合、当該利用情報と前記第１携帯電話機の電話番号を対応付けた情報を前記留守番電話センターに送信し、
前記留守番電話センターは、前記利用情報を含むメッセージを前記第１携帯電話機に送信する請求項１から７のいずれか一項に記載の通信システム。
【請求項９】
前記留守番電話センターは、前記利用情報を含むメッセージに承認処理を動作させるプログラムを付加する請求項８に記載の通信システム。
【請求項１０】
前記第１携帯電話機と前記第１携帯電話機に対応付けられた銀行口座との情報を備える銀行サーバをさらに有し、
銀行サーバは、前記銀行口座を用いた振込み処理の情報を取得した場合、当該振込み処理と前記第１携帯電話機の電話番号を対応付けた情報を前記留守番電話センターに送信し、
前記留守番電話センターは、前記振込み処理の情報を含むメールを前記第１携帯電話機に送信する請求項１から９のいずれか一項に記載の通信システム。
【請求項１１】
前記留守番電話センターは、前記振込み処理の情報を含むメールに承認処理を動作させるプログラムを付加する請求項１０に記載の通信システム。
【請求項１２】
前記第１携帯電話機は、買い物情報と自機の情報とを、自機からまたは他の端末を介して、前記留守番電話センターに送信し、
前記留守番電話センターは、前記第１携帯電話機で実行された買い物情報を蓄積する請求項１から１１のいずれか一項に記載の通信システム。
【請求項１３】
前記留守番電話センターは、蓄積した買い物情報と、当該買い物情報に対応つけられた携帯電話機の利用者の個人情報と、の対応関係を解析し、解析結果を出力する請求項１２に記載の通信システム。
【請求項１４】
前記留守番電話センターは、前記広告画像の閲覧の状況に基づいて、前記閲覧された広告画像を含む返信プログラムを設定した携帯電話機にポイントを付与する請求項１から１３のいずれか一項に記載の通信システム。
【請求項１５】
前記留守番電話センターは、前記携帯電話機からの操作に基づいて、前記携帯電話機に付与したポイントを他の携帯電話機のポイントに振り替える請求項１４に記載の通信システム。
【発明の詳細な説明】
【技術分野】
【０００１】
本発明は、携帯電話機を含む通信システムに関する。
【背景技術】
【０００２】
携帯電話機は、各種機能が搭載されているが、着信時に応答できない場合に、メッセージを残せる、いわゆる留守番電話機能を搭載しているものがある（特許文献１から３参照）。
【０００３】
特許文献１には、留守モード設定中は、相手端末からの着信を相手端末に通知するように指示すると共に相手端末における選択データを受信したときに受信した選択データを着信履歴記憶部に書き込み、通常モード設定中は、相手端末が留守モードであることの通知を受けたとき相手端末の留守メッセージの表示を表示部に指示すると共に表示部の表示に基いて選択した留守メッセージを相手端末に通知するように指示する電話機が記載されている。
【０００４】
特許文献２には、肉声に価値がある複数の有名人の声を応答メッセージとして記憶媒体へ格納するステップと、複数の声から選択する一つの声に応じて課金情報を生成するステップとを備えることを特徴とする留守番電話方法が記載されている。
【０００５】
また、留守番電話サービス機能としては、本出願人が出願した特許文献３に記載のシステムもある。特許文献３に記載の着信不能時応対応答案内システムは、着信側携帯電話端末が着信不能である場合、着信側で着信不能に関して告知条件に従い告知したい発信側を自動的に判別し、着信不能な理由及び着信不能な時間帯を告知手段により告知するとともに、応答プログラム添付手段により応答プログラムを送る。これにより、着信不能時応対応答案内システムは、発信側携帯電話端末において着信不能に関する告知内容を判断し、送られた応答プログラムを起動して、応答手段により着信側へ簡易に応対を求めることを可能とするとともに、着信側も応対手段によりさらに発信側の応答内容を含む応答情報を判断し、応答情報に対応した対応方法で自動的に応対することができる。
【先行技術文献】
【特許文献】
【０００６】
【特許文献１】特開２００５−２６０４１７号公報
【特許文献２】特開２００３−５１８８４号公報
【特許文献３】特開２０１０−１３０３７９号公報
【発明の概要】
【発明が解決しようとする課題】
【０００７】
特許文献１から３に記載の方法及びシステムは、留守番電話機能をより向上させることができる。特に特許文献３に記載のシステムは、電話をかけた側である発信者が、電話をかけられた側である受信者の情報を把握することができ、さらに、簡単な操作で発信者の希望も伝達することが可能となる。
【０００８】
ここで、留守番電話機能を有する通信システムには、改善の余地がある。本発明は、上記に鑑みてなされたものであって、留守番電話機能で提供できる機能をより充実させることができる通信システムを提供することにある。
【課題を解決するための手段】
【０００９】
本発明は、通信システムであって、留守番電話センターと、前記留守番電話センターに留守番電話設定を登録する第１携帯電話機と、表示部と操作部とを備え、前記第１携帯電話機に電話をかける第２携帯電話機と、前記第１携帯電話機と前記第２携帯電話機と前記留守番電話センターとを通信可能に接続する電話通信網と、を有し、前記留守番電話センターは、前記第２携帯電話機から前記第１携帯電話機に電話がかけられ、前記留守番電話設定を実行すると判定した場合、前記留守番電話設定に基づいて広告画像を添付した返信プログラムを添付した留守番電話メッセージを作成して、前記第２携帯電話機に送信し、第２携帯電話機は、前記留守番電話メッセージを受信した場合、前記広告画像が重ねられた前記返信プログラムの画像を前記表示部に表示させる。
【００１０】
ここで、前記第２携帯電話機は、前記留守番電話メッセージを受信した場合、前記表示部に前記留守番電話メッセージに含まれるメッセージを表示させた状態で、前記返信プログラムを表示させる操作を前記操作部で検出したら前記広告画像が重ねられた前記返信プログラムの画像を前記表示部に表示させることが好ましい。
【００１１】
また、前記第２携帯電話機は、前記広告画像が重ねられた前記返信プログラムの画像を前記表示部に表示させ、前記広告画像を選択する操作を前記操作部で検出した場合、前記返信プログラムに基づいて処理を実行し、前記返信プログラムに含まれる前記広告画像に関連する別の画像を表示させることが好ましい。
【００１２】
また、前記第２携帯電話機は、前記広告画像に関連する別の画像を表示させている状態で、さらに前記広告画像に関連する処理を選択する操作を前記操作部で検出した場合、前記電話通信網を介して前記留守番電話センターと通信を行い、前記広告画像に関連する情報を取得することが好ましい。
【００１３】
また、前記別の画像は、前記広告画像に関連付けられた操作の項目を表示させる画像を含むことが好ましい。
【００１４】
また、前記別の画像は、前記留守番電話センターで作成されたアンケートの画像を含むことが好ましい。
【００１５】
また、前記留守番電話センターは、前記留守番電話設定で返信プログラムの添付が選択されている場合、前記留守番電話メッセージに前記広告画像を添付した返信プログラムを添付し、前記留守番電話設定で返信プログラムの添付が選択されていない場合、前記留守番電話メッセージに前記返信プログラムを添付しないことが好ましい。
【００１６】
また、前記第１携帯電話機と前記第１携帯電話機に対応付けられたクレジットカード番号との情報を備えるクレジットカード会社サーバをさらに有し、クレジットカード会社サーバは、前記クレジットカード番号の利用情報を取得した場合、当該利用情報と前記第１携帯電話機の電話番号を対応付けた情報を前記留守番電話センターに送信し、前記留守番電話センターは、前記利用情報を含むメッセージを前記第１携帯電話機に送信することが好ましい。
【００１７】
また、前記留守番電話センターは、前記利用情報を含むメッセージに承認処理を動作させるプログラムを付加することが好ましい。
【００１８】
また、前記第１携帯電話機と前記第１携帯電話機に対応付けられた銀行口座との情報を備える銀行サーバをさらに有し、銀行サーバは、前記銀行口座を用いた振込み処理の情報を取得した場合、当該振込み処理と前記第１携帯電話機の電話番号を対応付けた情報を前記留守番電話センターに送信し、前記留守番電話センターは、前記振込み処理の情報を含むメールを前記第１携帯電話機に送信することが好ましい。
【００１９】
また、前記留守番電話センターは、前記振込み処理の情報を含むメールに承認処理を動作させるプログラムを付加することが好ましい。
【００２０】
また、前記第１携帯電話機は、買い物情報と自機の情報とを、自機からまたは他の端末を介して、前記留守番電話センターに送信し、前記留守番電話センターは、前記第１携帯電話機で実行された買い物情報を蓄積することが好ましい。
【００２１】
また、前記留守番電話センターは、蓄積した買い物情報と、当該買い物情報に対応つけられた携帯電話機の利用者の個人情報と、の対応関係を解析し、解析結果を出力することが好ましい。
【００２２】
また、前記留守番電話センターは、前記広告画像の閲覧の状況に基づいて、前記閲覧された広告画像を含む返信プログラムを設定した携帯電話機にポイントを付与することが好ましい。
【００２３】
また、前記留守番電話センターは、前記携帯電話機からの操作に基づいて、前記携帯電話機に付与したポイントを他の携帯電話機のポイントに振り替えることが好ましい。
【発明の効果】
【００２４】
本発明は、留守番電話機能で提供できる機能をより充実させることができるという効果を奏する。
【図面の簡単な説明】
【００２５】
【図１】図１は、通信システムの概略構成を示す模式図である。
【図２】図２は、留守番電話センターの概略構成を示す模式図である。
【図３】図３は、携帯電話機の概略構成を示す模式図である。
【図４】図４は、携帯電話機で実行する処理動作の一例を示すフローチャートである。
【図５】図５は、画面の一例を示す説明図である。
【図６】図６は、留守番電話センターで実行する処理動作の一例を示すフローチャートである。
【図７】図７は、留守番電話センターで実行する処理動作の一例を示すフローチャートである。
【図８】図８は、携帯電話機で実行する処理動作の一例を示すフローチャートである。
【図９】図９は、携帯電話機で実行する処理動作の一例を示すフローチャートである。
【図１０】図１０は、留守番電話センターで実行する処理動作の一例を示すフローチャートである。
【図１１】図１１は、携帯電話機に表示される画面の遷移の一例を示す説明図である。
【図１２】図１２は、携帯電話機に表示される画面の遷移の一例を示す説明図である。
【図１３】図１３は、画面の一例を示す説明図である。
【図１４】図１４は、携帯電話機に表示される画面の遷移の一例を示す説明図である。
【図１５】図１５は、留守番電話センターで実行する処理動作の一例を示すフローチャートである。
【図１６】図１６は、留守番電話センターで実行する処理動作の一例を示すフローチャートである。
【図１７】図１７は、留守番電話センターで実行する処理動作の一例を示すフローチャートである。
【図１８】図１８は、通信システムの一部を拡大して示すブロック図である。
【図１９】図１９は、電子レジスター及び端末で実行する処理動作の一例を示すフローチャートである。
【図２０】図２０は、携帯電話機で実行する処理動作の一例を示すフローチャートである。
【図２１】図２１は、留守番電話センターで実行する処理動作の一例を示すフローチャートである。
【図２２】図２２は、留守番電話センターで実行する処理動作の一例を示すフローチャートである。
【図２３】図２３は、クレジッドカード会社サーバで実行する処理動作の一例を示すフローチャートである。
【図２４】図２４は、留守番電話センターで実行する処理動作の一例を示すフローチャートである。
【図２５】図２５は、銀行サーバで実行する処理動作の一例を示すフローチャートである。
【図２６】図２６は、留守番電話センターで実行する処理動作の一例を示すフローチャートである。
【図２７】図２７は、留守番電話センターで実行する処理動作の一例を示すフローチャートである。
【発明を実施するための形態】
【００２６】
以下、本発明につき図面を参照しつつ詳細に説明する。なお、下記の発明を実施するための形態（以下、実施形態という。）により本発明が限定されるものではない。また、下記実施形態における構成要素には、当業者が容易に想定できるもの、実質的に同一のもの、いわゆる均等の範囲のものが含まれる。さらに、下記実施形態で開示した構成要素は適宜組み合わせることが可能である。
【００２７】
以下に、本発明にかかる通信システムの実施形態を図面に基づいて詳細に説明する。なお、この実施形態によりこの発明が限定されるものではない。
【００２８】
［通信システム］
図１は、通信システムの概略構成を示す模式図である。通信システム１０は、携帯電話機と他の機器との電話通信及びデータ通信を制御するシステムである。通信システム１０は、携帯電話機に留守番電話機能（留守番電話サービス）を提供する。
【００２９】
本実施形態の通信システム１０は、電話通信網１２と、インターネット通信網１４と、管理サーバ１６と、留守番電話センター１８と、複数の携帯電話機２２と、複数の固定電話機２４と、広告主用端末３０と、クレジット会社サーバ３２と、銀行サーバ３４と、端末３６と、を有する。広告主用端末３０と、クレジット会社サーバ３２と、銀行サーバ３４と、端末３６との数は、１つに限定されず、複数でもよい。また、インターネット通信網１４は、他の各種サーバ、端末と接続していてもよい。
【００３０】
電話通信網１２は、接続されている通信機器の間でのデータの送受信を行う通信回線の集合体である。電話通信網１２は、管理サーバ１６と、留守番電話センター１８と、複数の携帯電話機２２と、複数の固定電話機２４と、が接続されている。ここで、電話通信網１２は、複数の基地局２０を含んでいる。基地局２０は、無線通信で携帯電話機２２と通信を行う通信機器である。基地局２０は、電波が所定の強度以上で届く範囲内にある携帯電話機２２と通信を行うことで、携帯電話機２２を電話通信網１２と通信可能な状態とする。これにより、電話通信網１２は、携帯電話機２２とのデータの送受信を無線で実行することができる。電話通信網１２は、通信網に接続された携帯電話機２２と固定電話機２４との間、携帯電話機２２と携帯電話機２２との間、または、固定電話機２４と固定電話機２４との間で、データ（例えば音声信号）を送受信させることで音声通話を実現する。また、電話通信網１２は、通信網に接続されている通信機器（携帯電話機２２、固定電話機２４）との間でデータ通信を行うこともできる。また、電話通信網１２は、管理サーバ１６と、携帯電話機２２または固定電話機２４との間でもデータを送受信させることができる。また、電話通信網１２は、留守番電話センター１８と、携帯電話機２２または固定電話機２４との間でもデータを送受信させることができる。
【００３１】
インターネット通信網１４は、接続されている通信機器の間でのデータの送受信を行う通信回線の集合体である。インターネット通信網１４は、管理サーバ１６と、広告主用端末３０と、クレジット会社サーバ３２と、銀行サーバ３４と、端末３６と、が接続されている。インターネット通信網１４は、接続されている各機器間で情報を送受信させることで、データ通信を実行させる。
【００３２】
管理サーバ１６は、電話通信網１２と、インターネット通信網１４と、管理サーバ１６と、留守番電話センター１８と、に接続されている。管理サーバ１６は、電話通信網１２に接続された各通信機器の通信を管理する装置である。具体的には、管理サーバ１６は、携帯電話機２２及び固定電話機２４と他の通信機器との通信を管理する。また、管理サーバ１６は、留守番電話センター１８と他の通信機器との通信も管理する。さらに、管理サーバ１６は、インターネット通信網１４に接続されている各通信機器と、電話通信網１２に接続されている各通信機器との接続を管理するゲートまたはプロバイダとしての機能も備えている。例えば、管理サーバ１６は、インターネット通信網１４に接続されている広告用端末３０と電話通信網１２に接続されている携帯電話機２２との間でデータを送受信させることで、携帯電話機２２から広告用端末３０に情報を送ることができる。
【００３３】
留守番電話センター１８は、各種情報を整理し、管理する機能を有する電子機器、例えばサーバであり、電話通信網１２及び管理サーバ１６と接続されている。留守番電話センター１８は、電話通信網１２に接続されている携帯電話機２２及び固定電話機２４に対して留守番電話機能を提供する。なお、本実施形態では、留守番電話センター１８を管理サーバ１６とは別体としたがこれに限定されない。留守番電話センター１８は、管理サーバ１６に含まれていても、つまり内蔵されていてもよい。
【００３４】
図２は、留守番電話センターの概略構成を示す模式図である。以下、図２を用いて、留守番電話センター１８の構成について説明する。留守番電話センター１８は、図２に示すように、通信部４０と、制御部４２と、記憶部４４と、を有する。通信部４０は、電話通信網１２及び管理サーバ１６と通信を行う。通信部４０は、通信により取得したデータを制御部４２及び記憶部４４に送信し、制御部４２及び記憶部４４から出力されたデータを他の通信機器（電話通信網１２を介して接続された通信機器及び管理サーバ１６）に出力する。制御部４２は、ＣＰＵ等の演算処理機能を備える装置であり、留守番電話センター１８の各部の動作を制御する。
【００３５】
記憶部４４は、データを記憶する記憶装置であり、留守番電話メールデータ４４ａと、返信プログラムデータ４４ｂと、広告データ４４ｃと、統計分析データ４４ｄと、個人データ４４ｅと、を有する。
【００３６】
留守番電話メールデータ４４ａは、留守番電話機能で実行する際に出力するメール（留守番電話メール）に関する各種情報を記憶している。具体的には、留守番電話メールのフレームや、留守番電話メールに用いる文章や、送信設定、送信条件等である。なお、制御部４２は、留守番電話メールデータ４４ａに記憶されているデータの一部を抽出し、さらに加工することで、送信する留守番電話メールを作成する。
【００３７】
返信プログラムデータ４４ｂは、留守番電話メールに添付する返信プログラムに関する各種情報を記憶している。ここで、返信プログラムとは、留守番電話メールを受信した電子機器（主として携帯電話機２２）で実行されるプログラムである。携帯電話機２２は、返信プログラムを実行することで、留守番電話センター１８に所定の情報、具体的には、電話をかけた相手に対して伝達するメッセージを送ることができる。返信プログラムデータ４４ｂは、返信プログラムや、返信プログラムに添付できる各種情報、返信プログラムを加工するための各種情報が記憶されている。
【００３８】
広告データ４４ｃは、返信プログラムに添付する広告画像に関する各種情報を記憶したデータベースである。広告データ４４ｃは、広告画像のデータ、当該広告画像のデータを提供した広告主の情報、当該広告画像の表示条件、等を記憶している。ここで、広告データ４４ｃは、広告画像を提供する複数の広告主から広告画像が提供されている。なお、広告データ４４ｃは、広告画像の掲載時に広告主から支払われる料金の情報等も記録されている。ここで、広告データ４４ｃは、１つの広告主が単一画像を広告画像としている場合や、複数の画像を広告画像として登録している場合がある。また、広告データ４４ｃは、広告主の情報である広告画像を設ける企業や非営利団体等を業種別に番号、記号で整理している。これにより各種検索方法に対応することができる。また、広告データ４４ｃは、広告主が使用する広告主様端末３０の情報も記憶している。これにより、留守番電話センター１８と広告主様端末３０との間で情報のやり取りが可能となり、広告画像の差し替えや表示基準の調整等を行うことができる。また、広告主端末３０から留守番電話センター１８にアクセスできることで、広告画像の閲覧状況等も確認することができる。
【００３９】
統計分析データ４４ｄは、留守番電話センター１８が携帯電話機２２に対して実行するアンケートを統計したデータやアンケートを実行するために必要な情報等を記憶している。留守番電話センター１８が携帯電話機２２に対して実行するアンケートについては、後述する。
【００４０】
個人データ４４ｅは、電話通信網１２に接続されている携帯電話機２２の各種情報を記憶している。なお、個人データ４４ｅは、固定電話機２４の各種情報をさらに記憶してもよい。携帯電話機２２の各種情報としては、当該携帯電機２２の利用者の情報（属性情報）、留守電利用契約の有無、画像契約の有無等が含まれる。画像契約者の属性登録としては、携帯電話番号、氏名、住所、男女の別、年齢又は年代（１０代、２０代前半、２０代後半、３０代前半等)、学歴、職業、年収又は年収のランク、クレジットカードのデータと暗証番号等、銀行口座と暗証番号等、個人情報利用の許諾、居宅の種類等がある。
【００４１】
携帯電話機２２は、他の通信機器と通話通信する機能を備える携帯型の電子機器である。携帯電話機２２は、通信可能な距離にある基地局２０と無線通信を行うことで、電話通信網１２と通信を行う。これにより、携帯電話機２２は、基地局２０と通信が可能な位置であれば、通話通信ができるため、種々の場所で電話通信網１２との通信が可能となる。なお、図１では、携帯電話機２２としていわゆるスマートフォンを用いた場合を示したが、携帯電話機２２としては、いわゆるフィーチャーフォンや、簡易な機能のみを搭載した携帯通信装置も用いることができる。また、携帯電話機２２は、無線通信として、種々の方式を用いることができる。例えば、３Ｇ回線で通信を行ってもよし、ＷｉＦｉ機能を用いて通信を行ってもよいし、無線ＬＡＮを用いて通信を行ってもよい。
【００４２】
図３は、携帯電話機の概略構成を示す模式図である。携帯電話機２２は、図３に示すように、通信部５０と、操作部５２と、表示部５４と、制御部５６と、記憶部５８と、を有する。通信部５０は、電話通信網１２の基地局２０と通信を行う。より具体的には通信部５０は、通信可能な基地局２０を検索し、検索した基地局２０の中から通信を行う基地局２０を特定して通信を確立し、通信を確立した基地局２０と通信を行う。通信部５０は、通信により取得したデータを制御部５６及び記憶部５８に送信し、制御部５６及び記憶部５８から出力されたデータを他の通信機器（電話通信網１２を介して接続された通信機器）に出力する。
【００４３】
操作部５２は、携帯電話機２２の利用者が操作を入力するデバイスである。操作部５２としては、タッチパネルや、キーボード、方向キー、ボタン等が例示される。また、操作部５２として、レシーバを用いることもできる。携帯電話機２２は、レシーバで取得した
音声で操作を認識することもできる。表示部５４は、ディスプレイ等、画像を表示させるデバイスである。表示部５４は、操作画面やメッセージを含む画面等種々の画像を含む画面を表示させる。制御部５６は、ＣＰＵ等の演算処理機能を備える装置であり、携帯電話機２２の各部の動作を制御する。
【００４４】
記憶部５８は、データを記憶する記憶装置である。記憶部５８は、制御部５６で実行される各種機能、アプリケーションのプログラムや、通話、通信に必要なデータを記憶している。記憶部５８は、プログラムとして、例えば、留守番電話機能を実行するプログラムや通話機能を実行するプログラム、メールアプリケーションを実行するプログラム等が記憶されている。記憶部５８は、データとして、例えば、留守番電話機能で使用するデータや、アドレス帳のデータや、各種画像データを記憶している。
【００４５】
固定電話機２４は、他の通信機器と通話通信する機能を備える携帯型の電子機器である。固定電話機２４は、有線で電話通信網１２に接続されている以外は、携帯電話機２２と同様の構成である。なお固定電話機２４は、携帯電話機２２よりも電話機能に特化しており、機能が少ないものもある。
【００４６】
広告主用端末３０は、例えば、パーソナルコンピュータ等の電子機器であり、インターネット通信網１４を介して通信を行う。広告主用端末３０は、管理サーバ１６と通信を行うことで、留守番電話センター１８で実行する処理に使用するデータや画像を提供することができる。ここで、広告主用端末３０は、広告主が各種情報を入力する端末であり、表示する広告画像の情報や、表示条件等が入力され、管理サーバ１６を介して、留守番電話センター１８に送信する。
【００４７】
クレジットカード会社サーバ３２は、クレジットカード会社が所有するサーバである。クレジットカード会社サーバ３２は、インターネット通信網１４を介して、他の通信機器と通信を行う。クレジットカード会社サーバ３２は、管理サーバ１６を介して、留守番電話センター１８と通信を行う。クレジットカード会社サーバ３２は、支払い情報等を取得し、当該支払い情報に対応したクレジットカードに対して課金を行う。また、支払い処理の情報を受信した場合、当該支払い情報に含まれる情報が正しいかを判定する。
【００４８】
銀行サーバ３４は、銀行が所有するサーバである。銀行サーバ３４は、インターネット通信網１４を介して、他の通信機器と通信を行う銀行サーバ３４は、管理サーバ１６を介して、留守番電話センター１８と通信を行う。銀行サーバ３４は、支払い情報、振り込み情報、引き落とし情報等を取得し、当該情報に対応した銀行口座から他の銀行口座に金銭の移動を行う。また、処理の情報を受信した場合、当該情報に含まれる情報が正しいかを判定する。
【００４９】
端末３６は、例えば、パーソナルコンピュータ等の電子機器であり、インターネット通信網１４を介して通信を行う。端末３６は、管理サーバ１６と通信を行うことで、留守番電話センター１８で実行する処理に使用するデータや画像を提供することができる。
【００５０】
なお、本実施形態の通信システム１０は、１つの電話通信網１２と、１つのインターネット通信網１４と、を示したが、複数の電話通信網１２と、インターネット通信網１４とを有し、それぞれが管理サーバ１６を介して接続していてもよい。つまり通信システム１０は、管理サーバ１６を他のネットワーク（他の電話通信網１２、他のインターネット通信網１４）とのゲートとして用い、管理サーバ１６を介して、他のネットワークとも通信可能とすることで、他のネットワークの携帯電話機２２とも音声通話を行うことができ、他の端末３６とのデータ通信を行うことができる。
【００５１】
［通信システム１０の処理動作］
以下、図４から図１４を用いて、通信システム１０の処理動作の一例を説明する。
【００５２】
［携帯電話機の留守番電話設定時の処理動作］
図４は、携帯電話機で実行する処理動作の一例を示すフローチャートである。図５は、画面の一例を示す説明図である。なお、携帯電話機２２は、記憶部５８に記憶したデータや通信部５０を介して外部から取得したデータに基づいて、制御部５６で演算処理を行い、各部の動作を制御することで、図４及び図５に示す処理を実現することができる。
【００５３】
携帯電話機２２は、留守番電話機能を実行する場合、各種設定（留守番電話設定）を事前に決定して、留守番電話センター１８に記憶させる。携帯電話機２２は、ステップＳ１２として、留守番電話センター１８にアクセスし、ステップＳ１４として、留守番電話設定の内容を登録する。具体的には、携帯電話機２２は、留守番電話センター１８にアクセスをすると、留守番電話センター１８からデータが送信される。携帯電話機２２は、留守番電話センター１８から送信されたデータに基づいて、図５に示すような画面７０を表示させる。
【００５４】
図５に示す画面７０は、留守番電話の設定に必要な各種情報を入力することができる画面であり、応答不能時間帯を入力する項目７２と、留守の理由を入力する項目７４と、返信プログラムを添付するか否かを選択する項目７６と、ボタン７７ａ、７７ｂと、を含む。携帯電話機２２の利用者は、表示部５４に表示された画面７０を見ながら操作部５２に操作を入力することで、項目７２、７４、７６に対応する操作を入力することができ、ボタン７７ａ、７７ｂに対する決定操作を入力することができる。
【００５５】
項目７２は、応答不能な状態が開始される時刻の年、月、日、時、分を入力する欄と、応答不能な状態が終了する時刻の年、月、日、時、分を入力する欄とを含む。項目７４は、留守の理由、つまり電話に出られない状況として「イ  会議中のため」、「ロ  電車乗車中のため」、「ハ  車運転中のため」、「二  マイメニュー入力画面」の４つを選択することができる状態となっている。なお、「二  マイメニュー入力画面」が選択されると、留守の理由を利用者が自由作文で入力することができる画面が表示される。項目７６は、返信プログラムを添付するかしないかを選択するボタンを含む。ボタン７７ａは、決定操作、つまり留守番電話の設定を確定する操作を入力するボタンである。ボタン７７ｂは取り消し操作、つまり留守番電話の設定処理を確定させずに終了させる操作を入力するボタンである。なお、図５に示す画面７０は、初期画面であり、項目７２に現在時刻である「２０××年１２月２０日、１５時４５分」が表示されている。携帯電話機２２は、画面７０を表示している状態で、各項目への操作が入力され、決定のボタン７７ａが押下されたら、当該入力された各情報を登録する。なお、留守番電話センター１８は、アクセスしてきた携帯電話機２２を電話番号等で特定し、当該電話番号に対する留守番電話設定として登録する。
【００５６】
携帯電話機２２は、ステップＳ１４で設定の内容を登録したら、ステップＳ１６として、留守番電話設定を開始、つまり設定に基づいた処理を開始させて、本処理を終了する。つまり携帯電話機２２は、設定した条件で留守番電話機能を実行する処理を開始する。これにより、留守番電話センター１８は、対象の携帯電話機２２に電話がかかってきた場合、留守番電話設定に基づいて留守番電話機能を提供することができる。なお、留守番電話センター１８は、留守番電話設定が入力されたら、当該設定に基づいた処理を開始してもよいし、設定で入力された時間となったら当該設定に基づいた処理を開始してもよいし、携帯電話機２２によって開始の操作が入力されたら、当該設定に基づいた処理を開始してもよい。
【００５７】
［留守番電話センターの処理動作］
以下、図６及び図７を用いて、留守番電話センターで実行する処理の一例について説明する。図６及び図７は、それぞれ留守番電話センターで実行する処理動作の一例を示すフローチャートである。留守番電話センター１８は、記憶部４４に記憶された各種データに基づいて制御部４２でプログラムを実行することで図６及び図７に示す処理を実行することができる。
【００５８】
留守番電話センター１８は、ステップＳ２０として、留守番電話設定がされた電話番号への着信を検出する。留守番電話センター１８は、ステップＳ２０で着信を検出したら、ステップＳ２２で受話動作が行われたかを判定する。留守番電話センター１８は、ステップＳ２２で受話動作が行われた（ステップＳ２２でＹｅｓ）と判定した場合、本処理を終了する。
【００５９】
留守番電話センター１８は、ステップＳ２２で受話動作が行われていない（ステップＳ２２でＮｏ）と判定した場合、ステップＳ２４として留守番電話サービスへの切り替えを行うかを判定する。留守番電話センター１８は、ステップＳ２２で切り替えを行わない（ステップＳ２４でＮｏ）と判定した場合、ステップＳ２２に進み、上記処理を再び実行する。
【００６０】
留守番電話センター１８は、ステップＳ２４で切り替えを行う（ステップＳ２４でＹｅｓ）と判定した場合、ステップＳ２６として留守番電話メールを作成し、ステップＳ２８として、留守番電話メールを送信し、本処理を終了する。留守番電話センター１８は、以上のようにして着信側の携帯電話機が電話に出ることができない理由や電話に出ることが出来ない時間帯の情報を含むメールを電話をかけた発信側の携帯電話機に送信することができる。
【００６１】
次に、図７を用いて、ステップＳ２６の留守番電話メールを作成する処理について説明する。留守番電話センター１８は、ステップＳ３０として、留守番電話に設定されたメッセージを抽出し、ステップＳ３２として、メッセージに基づいて留守番電話メールを作成する。具体的には、留守番電話センター１８は、留守の理由の情報を抽出し当該情報をメールに含める。留守番電話センター１８は、さらに応答不能時間帯から電話に出ることができない時間帯を抽出し、メールに文章として追加する。
【００６２】
留守番電話センター１８は、ステップＳ３２でメールを作成したら、ステップＳ３４として、返信プログラムの設定ありか、つまりメールに返信プログラムを添付する設定であるかを判定する。留守番電話センター１８は、ステップＳ３４で返信プログラムの設定なし（ステップＳ３４でＮｏ）と判定した場合、本処理を終了する。
【００６３】
留守番電話センター１８は、ステップＳ３４で返信プログラムの設定あり（ステップＳ３４でＹｅｓ）と判定した場合、ステップＳ３５として、添付する広告画像を抽出し、ステップＳ３６として抽出した広告画像を返信プログラムに合成（添付）し、ステップＳ３８として、留守番電話メールに返信プログラムを添付し、本処理を終了する。
【００６４】
留守番電話センター１８は、以上の処理を行うことで、広告画像が合成された返信プログラムを留守番電話メールに添付することができる。また、留守番電話センター１８は、返信プログラムを送信することで、自機のフォーマットに沿った状態で発信側の携帯電話機の所有者の意思を取得することができる。
【００６５】
［携帯電話機の発信時の処理動作］
以下、図８及び図１３を用いて、電話をかける側の携帯電話機で実行する処理の一例について説明する。図８及び図９は、それぞれ携帯電話機で実行する処理動作の一例を示すフローチャートである。図１０は、留守番電話センターで実行する処理動作の一例を示すフローチャートである。図１１及び図１２は、それぞれ携帯電話機に表示される画面の遷移の一例を示す説明図である。図１３は、画面の一例を示す説明図である。ここで、本実施形態では、電話をかけられる側、つまり着信側の携帯電話機が第１携帯電話機となり、電話をかける側、つまり発信側の携帯電話機が第２携帯電話機となる。
【００６６】
携帯電話機２２は、ステップＳ４０として、発信操作を検出し、発信処理を行う。携帯電話機２２は、ステップＳ４０で発信処理を行ったら、ステップＳ４１として、受話信号ありかを判定する。つまり、電話をかけた受信側の電話機（本実施形態では他の携帯電話機２２）で受話操作が行われたことを示す信号を受信したかを判定する。携帯電話機２２は、ステップＳ４１で受話信号あり（ステップＳ４１でＹｅｓ）と判定した場合、ステップＳ４２として、通話処理を実行し、つまり通信通話を開始して、本処理を終了する。
【００６７】
携帯電話機２２は、ステップＳ４１で受話信号なし（ステップＳ４１でＮｏ）と判定した場合、ステップＳ４４として留守番電話サービスへの切り替えがあるかを判定する。携帯電話機２２は、ステップＳ４４で切り替えなし（ステップＳ４４でＮｏ）と判定した場合、ステップＳ４１に進む。
【００６８】
携帯電話機２２は、ステップＳ４４で切り替えあり（ステップＳ４４でＹｅｓ）と判定した場合、ステップＳ４６として、留守番電話メールを受信し、ステップＳ４８として発信処理を終了し、本処理を終了する。
【００６９】
携帯電話機２２は、ステップＳ４６で留守番電話センター１８から送信された留守番電話メールを受信したら、図９に示す処理を別途開始する。携帯電話機２２は、ステップＳ５０として、留守番電話メールの表示操作を検出したら、ステップＳ５２として、返信プログラムがあるか、つまり留守番電話メールに返信プログラムが添付されているかを判定する。
【００７０】
携帯電話機２２は、ステップＳ５２で返信プログラムなし（ステップＳ５２でＮｏ）と判定した場合、ステップＳ５３として、留守番電話メールを表示部５４に表示させ、本処理を終了する。携帯電話機２２は、ステップＳ５２で返信プログラムあり（ステップＳ５２でＹｅｓ）と判定した場合、ステップＳ５４として、留守番電話メールと返信プログラムを表示部５４に表示させる。なお、携帯電話機２２は、返信プログラムに対応する内容を表示させる操作を入力するボタンのみを表示させてもよい。
【００７１】
携帯電話機２２は、ステップＳ５４で留守番電話メールと返信プログラムを表示させたら、ステップＳ５６として返信が選択されたかを判定する。つまり返信プログラムを用いた返信処理を実行することが選択されたかを判定する。携帯電話機２２は、ステップＳ５６で返信が選択されていない（ステップＳ５６でＮｏ）と判定した場合、本処理を終了する。
【００７２】
携帯電話機２２は、ステップＳ５６で返信が選択された（ステップＳ５６でＹｅｓ）と判定した場合、ステップＳ５８として、広告画像が重ねられた返信プログラムの内容を表示させ、本処理を終了する。
【００７３】
以下、図１０から図１３を用いて、表示部に表示させる画面の遷移を説明することで、携帯電話機２２の動作をより詳細に説明する。
【００７４】
まず、本実施形態の留守番電話センター１８は、返信プログラムに広告画像に対する操作が入力された場合、当該広告画像に対応付けた各種操作を入力できる画面を表示させる機能や、表示させる画像を付加している。つまり、留守番電話センター１８は、広告画像に対する表示処理を実行する機能を返信プログラムに追加している。これにより、携帯電話機２２は、留守番電話センター１８や管理サーバ１６と通信を行わなくても広告画像に対応して入力した操作に対応する処理を実行することができる。また、返信プログラムは、広告画像に加え、アンケートに係る画像も添付して表示させることができる。留守番電話センター１８は、図１０に示す処理を行うことで、添付する返信プログラムで表示部に表示させる画像を切り換えることができる。
【００７５】
留守番電話センター１８は、ステップＳ６０として、アンケート入力があるかを判定する。つまり、留守番電話センター１８は、対象の携帯電話機２２がアンケートに対して回答済みであるかを判定する。
【００７６】
留守番電話センター１８は、ステップＳ６０でアンケート入力あり（ステップＳ６０でＹｅｓ）と判定した場合、そのまま処理を終了する。この場合、留守番電話センター１８は、返信プログラムに広告画像及びそれに対応する画面のみを添付する。留守番電話センター１８は、ステップＳ６０でアンケート入力なし（ステップＳ６０でＮｏ）と判定した場合、ステップｓ６１として、広告欄とアンケート欄とを含む画像を作成し、本処理を終了する。
【００７７】
次に、図１１を用いて、留守番電話メールを受信した場合に表示される画面の遷移の一例を説明する。携帯電話機２２は、通信部を介して留守番電話メールを受信すると、制御や操作に基づいて表示部５４に画面を表示させる。
【００７８】
まず、携帯電話機２２は、留守番電話メールを受信した後、受信した留守番電話メールを表示させる操作を検出した場合、ステップＳ６２に示す画面８０を表示させる。画面８０は、メッセージ欄８２ａと、ボタン８２ｂ、ボタン８２ｃと、を含む。メッセージ欄８２ａは、留守番電話設定で設定された留守の理由と留守の時間を示す「１９：００迄会議中です」という文章と、返信プログラムの操作開始を推奨する「返信プログラムへのクリックどうぞ」という文章とが留守番電話メールの本文として表示される。ボタン８２ｂは、返信プログラムを用いて返信すること選択する操作が入力されるボタンである。ボタン８２ｃは、返信プログラムを用いて返信しないこと選択する操作が入力されるボタンである。携帯電話機２２は、ステップＳ６２でボタン８２ｃが操作されると、返信プログラムによる処理を実行せずに本処理をする。
【００７９】
携帯電話機２２は、ステップＳ６２でボタン８２ｂが操作されると、ステップＳ６３として、表示部５４に画面８０ａを表示させる。画面８０ａは、電話をかけた相手を特定する項目８４ａと、受信側の携帯電話機２２に返信するメッセージを選択する項目８４ｂと、ボタン８４ｃと、ボタン８４ｄと、を含む。また、画面８０ａは、背景に広告画像が表示されている。つまり、画面８０ａは、広告画像に返信プログラムで作成した項目８４ａ、８４ｂ及びボタン８４ｃ、８４ｄが積層されている。項目８４ａは、受信側の携帯電話機を特定できる情報、本実施形態では電話番号が表示される。項目８４ａは、記憶部５８に記憶されているアドレス帳等に基づいて、受信側の携帯電話機に対応付けた氏名を表示させるようにしてもよい。項目８４ｂは、発信者が受信者に伝達したい連絡事項を選択する画面であり、選択肢が表示されている。選択肢は、「イ  直ぐ電話ください」、「ロ  後ほど電話ください」、「ハ  後ほど電話します」、「ニ  メール入力画面」、「ホ  音声入力画面」の５つの選択肢が選択可能な状態で表示されている。なお、項目８４ｂは、さらにテキスト入力が可能な選択肢を設けてもよい。ボタン８４ｃは、重ねて表示させている広告画像にリンクされた情報に接続する操作が入力されるボタンである。ボタン８４ｄは、重ねて表示させている広告画像を消去する操作が入力されるボタンである。
【００８０】
携帯電話機２２は、返信プログラムに内蔵されている情報を処理することで、画面８０ｂを表示させる。携帯電話機２２は、ステップＳ６３でボタン８４ｄが操作されると、広告画像の表示を終了する。また、携帯電話機２２は、返信プログラムに対応する操作が入力されたら、留守番電話センター１８に入力結果を送信する。例えば、項目８４ｂの返信メニューの「イ、直ぐ電話を下さい」が選択された状態で処理が確定されると、留守番電話センター１８から着信側の携帯電話機２２に「直ぐ電話を下さい」の文字情報を含むメッセージが送信される。
【００８１】
携帯電話機２２は、ステップＳ６３でボタン８４ｃが操作されると、つまり広告画像に対応する画像に接続される操作を検出すると、ステップＳ６４として、表示部５４に画面８０ｂを表示させる。画面８０ｂは、電話をかけた相手を特定する項目８４ａと、広告画像に対応する処理を選択する項目８６ａと、ボタン８６ｂ、８６ｃ、８６ｄと、留守番電話センター（留守電センター）が実施しているアンケートに関する情報が表示される項目８７ａと、ボタン８７ｂ、８７ｃと、を含む。項目８４ａは、受信側の携帯電話機を特定できる情報、本実施形態では電話番号が表示される。項目８６ａは、広告画像を提供した広告主が設定した選択肢が表示されている。具体的には、「イ  カタログ画像閲覧」、「ロ  資料要求」、「ハ  購入申込み」を表示している。資料要求とは、商品やサービスの資料を要求する処理を行う選択肢であり、購入申し込みは、商品購入やサービス提供申込みの処理を行う選択肢である。ボタン８６ｂは、現在表示している項目８６ａを一旦保存する処理を実行する操作が入力されるボタンである。ボタン８６ｃは、項目８６ａの表示を消去する操作が入力されるボタンである。ボタン８６ｄは、項目８６ａで選択した選択肢の処理を実行する操作が入力されるボタンである。携帯電話機２２は、ボタン８６ｃが選択された場合、項目８６ａの表示を削除する。
【００８２】
項目８７ａは、アンケートに関する情報として調査応答容量が表示されている。ボタン８７ｂは、項目８７ａの表示を消去する操作が入力されるボタンである。ボタン８７ｃは、項目８７ａのアンケートに回答する処理を実行する操作が入力されるボタンである。ここで、携帯電話機２２は、ボタン８７ｃが押下されたら、留守番電話センター１８にアンケートを回答する旨の情報が送信され、留守番電話センター１８からアンケートに必要な情報が送信される。その後、携帯電話機２２は、留守番電話センター１８と通信を行い、アンケートに回答する。携帯電話機２２は、ボタン８７ｂが選択された場合、項目８７ａの表示を削除する。
【００８３】
携帯電話機２２は、ステップＳ６４で項目８６ａに対する接続操作であるボタン８６ｄの操作が検出されると、留守番電話センター１８と通信を行い、データを取得し、ステップＳ６６として、表示部５４に画面８０ｃを表示させる。画面８０ｃは、電話をかけた相手を特定する項目８４ａと、広告画像に対応する処理を選択する項目８８ａと、ボタン８８ｂ、８８ｃと、を含む。項目８８ａは、項目８６ａと同様の項目である。ボタン８８ｂは、項目８８ａの表示を消去する操作が入力されるボタンである。ボタン８８ｃは、項目８８ａで選択した選択肢の処理を実行する操作が入力されるボタンである。携帯電話機２２は、ボタン８８ｂが選択された場合、項目８８ａの表示を削除する。なお、携帯電話機２２は、消去が対応付けられたボタンが操作された場合、返信プログラムで実行される処理を終了してもよい。
【００８４】
次に、図１２を用いて、広告画像を選択する操作が入力された後、留守番電話センター１８と通信を行い、実行される処理について説明する。携帯電話機２２は、図１１で説明したように、ステップＳ６４で項目８６ａに対する接続操作であるボタン８６ｄの操作が検出されると、留守番電話センター１８と通信を行い、図１２のステップＳ７０に示す画面９０を表示させる。画面９０は、電話をかけた相手を特定する項目９２ａと、広告画像に対応する処理を選択する項目９２ｂと、ボタン９２ｃ、９２ｄと、を含む。なお、画面９０は、上述した図１１の画面８０ｃと同じ画面である。
【００８５】
携帯電話機２２は、ステップＳ７０で項目９２ｂ内の「イ  カタログ画像閲覧」が選択された状態で、ボタン９２ｃの操作が検出されると、留守番電話センター１８と通信を行い、データを取得し、ステップＳ７２として、表示部５４に画面９０ａを表示させる。画面９０ａは、電話をかけた相手を特定する項目９２ａと、選択された商品のカタログ画像９４ａと、ボタン９４ｂ、９４ｃと、を含む。カタログ画像９４ａは、操作によって表示させる商品を切り換えたり選択したりすることができる。ボタン９４ｂは、項目９４ａで選択した処理を実行する操作が入力されるボタンである。ボタン９４ｃは、項目９４ａの表示を消去する操作が入力されるボタンである。携帯電話機２２は、ボタン９４ｃが選択された場合、カタログ画像９４ａの表示を削除し、広告主から提供される画像の閲覧、買い物の処理等を終了する。
【００８６】
携帯電話機２２は、ステップＳ７２の画面９０ａを表示させている状態で、商品の購入が選択され、ボタン９４ｂが操作された場合、ステップＳ７４として、画面９０ｂを表示させる。画面９０ｂは、電話をかけた相手を特定する項目９２ａと、代金の支払い方法を選択する選択肢が表示された項目９６ａと、ボタン９６ｂ、９６ｃと、を含む。項目９６ａは、選択肢として、「イ  電話料金と共に」、「ロ  クレジットカード」、「ハ  銀行口座振込み」、「ニ  振込用紙」が含まれる。「イ  電話料金と共に」は、電話料金と一緒に購入代金を支払う方法である。「ロ  クレジットカード」は、クレジットカード支払いで購入代金を支払う方法である。「ハ  銀行口座振込み」は、銀行振り込みで購入代金を支払う方法である。「ニ  振込用紙」は、振込用紙を発行し、各種機関で振込用紙を用いて購入代金を支払う方法である。ボタン９４ｂは、項目９６ａで選択した処理を実行する操作が入力されるボタンである。ボタン９４ｃは、項目９６ａの表示を消去する操作が入力されるボタンである。携帯電話機２２は、ボタン９６ｃが選択された場合、買い物の処理を完了せずに処理を終了する。
【００８７】
携帯電話機２２は、ステップＳ７４で項目９６ａ内の「ロ  クレジットカード」が選択された状態で、ボタン９６ｂの操作が検出されると、留守番電話センター１８と通信を行い、データを取得し、表示部５４に図１３に示す画面９０ｃを表示させる。画面９０ｃは、電話をかけた相手を特定する項目９２ａと、クレジットカードの支払いに用いる情報が表示された項目９８ａと、ボタン９８ｂ、９８ｃと、を含む。項目９８ａは、「イ  購入商品の内容」、「ロ  クレジットカードのデータ」、空欄９９が含まれる。空欄９９は、クレジットカードのセキュリティーコードや、使用期間を入力する欄である。ボタン９８ｂは、項目９８ａで選択した処理を実行する操作が入力されるボタンである。ボタン９８ｃは、項目９８ａの表示を消去する操作が入力されるボタンである。携帯電話機２２は、ボタン９８ｃが選択された場合、買い物の処理を完了せずに処理を終了する。なお、通信システム１０は、決済時に本人確認を種々の方法で行うことができる。例えば、暗証番号、指紋認証、音声認証の少なくとも１つを用いることができる。このように本人確認ために複数の手段を用いることで、より安全な取引が可能となる。また、本人確認の情報は、携帯電話機２２で設定している各種情報を用いることができる。
【００８８】
携帯電話機２２は、空欄９９に各種情報が入力され、ボタン９８ｂが操作されたら、入力された情報が留守番電話センター１８に送信される。留守番電話センター１８は、管理サーバ１６を介して、クレジットカード会社サーバ３２にクレジットカードの情報を送信して認証処理を行い、認証処理が完了したら、広告主用端末３０にその情報を送信し、売買契約を成立させる。その後、留守番電話センター１８は、買い物が完了した情報を携帯電話機２２に送信する。
【００８９】
また、通信システム１０は、ステップＳ６６で資料請求が選択された場合、留守番電話センター１８から携帯電話機２２に住所確認のメール（返信プログラム付き）を送信し、当該メールに対する返信プログラムで住所の確認や、承認処理が行われたら、広告主から資料が郵送等で送付される。
【００９０】
通信システム１０は、以上のように、返信プログラムに広告画像を添付することで、返信プログラムの使用時に、広告を表示させることができる。これにより、留守番電話機能、具体的には、返信プログラムを用い、かつ、画面操作で留守番電話にかかる処理を実行する留守番電話機能をより有効活用することができる。発信者側の携帯電話機の利用者は、留守電側の留守の事情を文字情報で確認し、かつ返信用プログラムを操作する間、広告画像を目にするので、広告宣伝効果、広報効果が発生する。また広告画像は、発信者側の携帯電話機の記憶部に残すこともできる。これにより、発信者は、何時でも広告画像に設けてある、広告主のアクセスポイント（ＵＲＬ等）を用いて、当該広告主が出店している商品やサービスのカタログ画像閲覧や資料の要求、購入の申込みができる。
【００９１】
なお、通信システム１０は、背景画像として広告画像を表示させたが、別画像、例えば画面の空きスペースにバーナー等で広告を表示させてもよい。広告画像は、商品の画像でもよいが、メールアドレス、電話番号、ＱＲコード（登録商標）等をもちいてもよい。
【００９２】
また、通信システム１０は、アンケートも実施可能とすることで、携帯電話機２２の使用者の種々の情報を取得することができる。またアンケートの回答者に留守番電話機能で加算するポイント（後述する）を発行することで、アンケートの回答率も高くすることができる。これにより、例えば、広告主の市場調査用アンケートにも活用することができる。
【００９３】
また、通信システム１０は、広告画像を画像契約者同士だけでなく、すべての携帯電話機を対象とすることができる。つまり、留守番電話機能を設定している利用者に電話をかけて任意の携帯電話機に、広告画像を送ることができる。これにより、商品やサービス情報の広告宣伝効果を非常に大きなものとすることができる、また、広告画像に広告主と留守番電話センターへのアクセスポイント（リンク情報）を含めることで、そのまま、買い物等を行う画面に移行させることができる。これにより、広告宣伝や販売促進、市場調査活動に多大な効果を得ることができる。また電話通信網１２を運営する管理サーバ１６、留守番電話センター１８の所有者は、通信回線網の利用頻度が向上し、収益を向上させることができる。また、広告画像を作成する広告会社も新たな広告手段を得ることで、種々広告画像を作成することができる。
【００９４】
電話通信網１２を運営する管理サーバ１６、留守番電話センター１８の所有者は、留守番電話機能の利便性を向上できることで、当該機能の利用者を増加させることができる。また、管理サーバ１６、留守番電話センター１８の所有者は、広告主からも広告料を徴収することで、留守番電話機能の維持に係る費用に当てることができ、留守番電話機能の使用料を安価にすることができる。
【００９５】
また、通信システム１０は、広告主用端末３０を用いる利用者として、企業に加え、非営利団体や公益法人を含めることで、非営利団体による寄付金の募集活動を広告画像として表示させることができる。これにより、留守番電話サービスの利用者、具体的には、返信プログラムの閲覧者は、広告画像を見るだけで募金活動を知ることができる。これにより、通信システム１０は、慈善活動に寄与することもできる。また、通信システム１０は、留守番電話センター１８や管理サーバ１６で管理する課金情報を寄付金とすることができる。また、通信システム１０は、留守番電話センター１８や管理サーバ１６の管理者が、広告の申請時に広告主用端末３０を用いる利用者を精査できるため、信頼性の高い非営利団体や公益法人が広告を表示させるようにできるため、システムを悪用して寄付金を詐取されることを抑制することができる。これにより、利用者も安心して寄付を行うことができる。
【００９６】
ここで、通信システム１０は、上記留守番電話サービス１８が備える機能を用いて、種々の処理を実行することができる。例えば、通信システム１０は、返信プログラム付きのメール（メッセージ）を送信することで、対象の携帯電話機の利用者に年会費等の支払いを請求することができる。この場合、返信プログラムに添付する広告画像の提供者が年会費等の支払いを請求する請求者となる。また、通信システム１０は、留守番電話設定がされていない携帯電話機に対しても下記の処理を実行することができる。図１４は、携帯電話機に表示される画面の遷移の一例を示す説明図である。
【００９７】
携帯電話機２２は、留守番電話センター１８から返信プログラム付きメールを受信し、当該メールを閲覧する操作が入力されたら、ステップＳ８２の画面を表示させる。ステップＳ８２の画面は、メールのメッセージが表示された表示欄１０２ａと、ボタン１０２ｂ、１０２ｃを含む。なお、ボタン１０２ｂ、１０２ｃは、返信プログラムの基づいた処理により表示される。表示欄１０２ａは、「××協会  東京太郎殿  代××年度会費  金額××××円  支払××年××月１０日」という文字列を表示させている。ボタン１０２ｂは、表示欄１０２ａの支払いを承認する操作が入力されるボタンである。ボタン１０２ｃは、表示欄１０２ａの支払いを拒否する操作が入力されるボタンである。携帯電話機２２は、ボタン１０２ｃが選択された場合、メールで送られてきた支払いを行わずに処理を終了する。なお、支払いを拒否した場合、その操作の情報を留守番電話センター１８に送るようにしてもよい。
【００９８】
携帯電話機２２は、ステップＳ８２の画面を表示させている状態で、ボタン１０２ｂが操作され、各種条件が入力済みである場合、例えば、前回の徴収時に同じシステムで支払っている場合、ステップＳ８４に示す画面を表示させる。ステップＳ８４の画面は、メールのメッセージが表示された表示欄１０４ａと、ボタン１０４ｂ、１０４ｃを含む。なお、表示欄１０４ａは、表示欄１０２ａと同じ画像である。ボタン１０４ｂは、表示欄１０２ａの支払いをすでに設定されている支払い方法で実行することを決定する操作が入力されるボタンである。ボタン１０４ｃは、支払いを実行せずに処理を終了する操作が入力されるボタンである。携帯電話機２２は、ボタン１０４ｃが選択された場合、メールで送られてきた支払いを行わずに処理を終了する。
【００９９】
携帯電話機２２は、ステップＳ８２の画面を表示させている状態で、ボタン１０２ｂが操作され、各種条件が入力されていない場合、ステップＳ８６に示す画面を表示させる。ステップＳ８６の画面は、代金の支払い方法を選択する選択肢が表示された表示欄１０４ａと、ボタン１０４ｂ、１０４ｃと、を含む。表示欄１０４ａは、選択肢として、「イ  クレジットカード」、「ロ  銀行口座振込み」、「ハ  振込用紙」が含まれる。「イ  クレジットカード」は、クレジットカード支払いで購入代金を支払う方法である。「ロ  銀行口座振込み」は、銀行振り込みで購入代金を支払う方法である。「ハ  振込用紙」は、振込用紙を発行し、各種機関で振込用紙を用いて購入代金を支払う方法である。ボタン１０４ｂは、表示欄１０４ａで選択した処理を実行する操作が入力されるボタンである。ボタン１０４ｃは、表示欄１０４ａの表示を消去する操作が入力されるボタンである。携帯電話機２２は、ボタン１０４ｃが選択された場合、支払いの処理を完了せずに処理を終了する。
【０１００】
携帯電話機２２はステップＳ８６で表示欄１０４ａ内の「ロ  銀行口座振込み」が選択された状態で、ボタン１０４ｂの操作が検出されると、留守番電話センター１８と通信を行い、データを取得し、ステップＳ８８に示す画像を表示させる。ステップＳ８８に示す画面は、入力画面１０６ａと、ボタン１０６ｂ、１０６ｃと、を含む。入力画面１０６ａは、銀行口座の暗証番号等、具体的には、口座番号、暗証番号等を入力する画面である。入力画面１０６ａには、各種情報を入力する空欄が設けられている。ボタン１０６ｂは、入力画面１０６ａで入力された処理を実行する操作が入力されるボタンである。ボタン１０６ｃは、入力画面１０６ａの表示を消去する操作が入力されるボタンである。携帯電話機２２は、ボタン１０６ｃが選択された場合、支払いの処理を完了せずに処理を終了する。
【０１０１】
携帯電話機２２は、ステップＳ８８で、必要な情報が入力された後、ボタン１０６ｂの操作が検出されると、留守番電話センター１８と通信を行い、データを取得する。留守番電話センター１８は、管理サーバ１６を介して、銀行サーバ３４に銀行口座の情報を送信して認証処理を行い、認証処理が完了したら、銀行口座の各種情報を、管理サーバ１６を介して留守番電話センター１８に送る。留守番電話センター１８は、取得した情報を携帯電話機２２に送る。
【０１０２】
携帯電話機２２は、留守番電話センター１８から送信された情報を取得したら、ステップＳ８９示す画像を表示させる。ステップＳ８９に示す画面は、表示欄１０８ａと、ボタン１０８ｂ、１０８ｃと、を含む。表示欄１０８ａは、取引の内容と、引落口座の内容を表示させている。ボタン１０８ｂは、表示欄１０８ａに表示された支払い処理を実行する操作が入力されるボタンである。ボタン１０８ｃは、表示欄１０８ａの表示を消去する操作が入力されるボタンである。携帯電話機２２は、ボタン１０８ｃが選択された場合、支払いの処理を完了せずに処理を終了する。
【０１０３】
携帯電話機２２は、ステップＳ８９に示す画面を表示させている状態でボタン１０８ｂが操作されたら、その情報を留守番電話センター１８に送り、支払い処理を完了させる。
【０１０４】
このように、通信システム１０は、費用を集金する対象者を広告主とすることで、対象者は、メールを送信する対象を特定するのみで、集金を行うことができる。また、対象者は、留守番電話センター１８に蓄積される情報を閲覧するだけで、支払い状況を確認することもできる。具体的には、留守番電話センター１８が、メールを送信した対象者の情報と、そのメールに対する応答処理の情報とを蓄積することで、その携帯電話機の使用者が支払いをしていなくて、どの使用者が支払いを行っているかを確認することができる。また、返信プログラムを用いることで、それぞれの利用者が留守番電話センター１８にアクセスする回数や手間を少なくすることができる。
【０１０５】
集金する料金項目としては、公益性の高い非営利団体等の会費に用いることが好ましいが、電気料、ガス料、上下水道料、新聞雑誌の定期購読料、ケーブルテレピの受信料等、各種の料金、代金の決済に用いることができる。また、いずれの処理においても、料金を支払う利用者が、支払い方法を選択することができ、支払いの意志を示すため、支払いに合意を得た状態で、料金の徴収を行うことができる。
【０１０６】
ここで、通信システム１０は、返信プログラム付き留守番電話メールを送信する場合、そのメールに対する処理に応じてポイントを加算することが好ましい。なお、ポイントを加算する対象は、留守番電話設定を実行しており、かかってきた電話に出られなかった携帯電話機、つまり着信側の携帯電話機である。図１５は、留守番電話センターで実行する処理動作の一例を示すフローチャートである。
【０１０７】
留守番電話センター１８は、ステップＳ１００として、返信プログラム付き留守番電話メールを送信したら、ステップＳ１０２として、返信プログラムが実行されたかを判定する。留守番電話センター１８は、ステップＳ１０２で返信プログラムが実行されていない（ステップＳ１０２でＮｏ）と判定した場合、つまり、広告画像が閲覧されていないと判定した場合、本処理を終了する。留守番電話センター１８は、ステップＳ１０２で返信プログラムが実行されている（ステップＳ１０２でＹｅｓ）と判定した場合、ステップＳ１０４として表示させた広告画像に対応するポイントを加算する。具体的には、広告画像の表示に対して広告主が支払っている費用の一部をポイントとして加算する。
【０１０８】
留守番電話センター１８は、ステップＳ１０４でポイントを加算したら、ステップＳ１０６として、広告画像に対する操作があるかを判定する。留守番電話センター１８は、ステップＳ１０６で広告画像に対する操作が実行されていない（ステップＳ１０６でＮｏ）と判定した場合、つまり、広告画像に対応した各種画像を留守番電話センター１８から取得していないと判定した場合、本処理を終了する。留守番電話センター１８は、ステップＳ１０６で広告画像に対応する操作がある（ステップＳ１０６でＹｅｓ）と判定した場合、ステップＳ１０８として操作された広告画像に対応するポイントを加算する。具体的には、広告画像の表示に対して広告主が支払っている費用の一部をポイントとして加算する。
【０１０９】
留守番電話センター１８は、ステップＳ１０８でポイントを加算したら、ステップＳ１１０として、広告画像に対する商品の購入があるかを判定する。留守番電話センター１８は、ステップＳ１１０で広告画像に対する商品の購入が実行されていない（ステップＳ１１０でＮｏ）と判定した場合、つまり、商品の購入が行われずに処理が終了されたと判定した場合、本処理を終了する。留守番電話センター１８は、ステップＳ１１０で広告画像に対応する商品が購入された（ステップＳ１１０でＹｅｓ）と判定した場合、ステップＳ１１２として購入された商品に対応するポイントを加算する。具体的には、購入された商品の売主、つまり広告主が支払っている費用の一部をポイントとして加算し、本処理を終了する。
【０１１０】
図１６は、留守番電話センターで実行する処理動作の一例を示すフローチャートである。通信システム１０は、図１５に示す処理で加算したポイントを用いて、種々の料金の値引きを行うことができる。留守番電話センターは、ステップＳ１２０として、対象の携帯電話機に対して蓄積されているポイントの情報を抽出し、ステップＳ１２２として、獲得されたポイントに基づいて、料金の値引きを実行し、本処理を終了する。通信システム１０は、このように、留守番電話センター１８を用いた留守番電話機能を利用するだけで、当該機能の利用者が金銭の収入を得ることができる。これにより、通信システム１０は、携帯電話機の使用者が留守番電話機能を使用しやすい環境を作ることができる。なお、料金のポイント加算や課金処理は、値引き処理は、管理サーバ１６で行ってもよい。
【０１１１】
通信システム１０は、以上のように、留守番電話機能の利用者に費用における利益を与えることで、留守番電話機能の利用者を増加させることができる。また、返信プログラムの利用率も高くすることができる。また、上記実施形態のように留守番電話機能の利用者の電話番号を表示させることで、ポイント加算の対象者を明確にすることができる。なお、ポイントの加算は、１つの広告主及び一人の携帯電話機の利用者に対して１回限りとしてもよい。また、広告画像の閲覧と、カタログ画像閲覧、商品やサービスの資料要求、商品購入やサービス提供申込み等で、加算されるポイントに差をつけてもよい。具体的には、より、商品の販売に貢献した場合により高いポイントを付加するようにしてもよい。
【０１１２】
また、通信システム１０は、留守番電話センターで取得したアンケート結果に基づいて各種処理を実行することが好ましい。ここで、図１７は、留守番電話センターで実行する処理動作の一例を示すフローチャートである。留守番電話センター１８は、ステップＳ１３２としてアンケート情報を集計し、ステップＳ１３４として、集計結果に基づいて、広告画像の表示規則を修正し、本処理を終了する。通信システム１０は、図１７に示すように、アンケート結果に基づいて、表示させる広告画像を切り換えることで、より利用効率が高くなる広告画像を表示させることができる。
【０１１３】
留守番電話センター１８は、個人データに記憶されている情報や、アンケート結果に基づいて、利用者の嗜好を推定し、返信プログラムに添付する広告画像を選択するようにしてもよい。
【０１１４】
なお、留守番電話センター１８は、メール毎に表示させる広告画像が異なる画像に切り換るように表示させる広告画像を抽出することが好ましい。また、通信システム１０は、留守番電話機能を使用する利用者は、表示させる広告画像を選択し、決定できるようにしてもよい。これにより、利用者の意図に沿った画像を表示させることができ、利用者の嗜好を反映させることができる。この場合、利用者は、複数の広告画像を表示させる広告画像にできることが好ましい。１人の画像契約者が複数の広告画像の契約者となり、留守電への着信毎に、又は１日単位等で異なる広告画像を送信する。例えば、１台の携帯電話機が１０種類の広告画像の画像契約者になると、留守電着信毎に順番に１０種類の広告画像が送信される。あるいは１０種類の広告画像が１日毎に１０日間にわたり送信される。このように、広告画像を多様な形で送信することで広告宣伝の効果を高めることができる。
【０１１５】
また、通信システム１０は、複数の広告画像を返信プログラムに添付してもよい。これにより、宣伝広告の効率を向上させることができる。例えば、画面を上下の２つ、上中下の３つ等に分割して、それぞれ、２つないし３つの広告画像を登録してもよい。
【０１１６】
また、通信システム１０は、同一電話番号への広告画像送信の制限を行うようにしてもよい。例えば、同一電話番号から留守電に着信した時の同一種類の広告画像の送信は、２４時間に１回、４８時間に１回、あるいは１回限りと制限する。同一電話番号に同一広告画像を短時間、短期間に繰り返して送信してしまうことを抑制することで、広告主の無駄な経済的負担を低減することができる。
【０１１７】
また、通信システム１０は、広告画像受信数を制限することが好ましい。例えば、広告画像が受信して携帯電話機の記憶部に記憶される数を、留守番電話センターの設定又は携帯電話の設定で５件とか１０件とかに制限する。これにより、閲覧されていない広告が負担となることを抑制することができる。
【０１１８】
また、通信システム１０は、広告画像の受信を拒否できるようにすることが好ましい。これにより、宣伝効果がない対象者に対して宣伝を行うことを抑制できる。
【０１１９】
なお、上記実施形態の通信システム１０及び留守番電話センター１８は、広告画像が添付された返信プログラムを留守番電話メールに添付して、電話をかけた携帯電話機に送信するようにしたが、これに限定されない。通信システム及び留守番電話センター１８は、メール以外の通信手段で返信プログラムを含む留守番電話メッセージを携帯電話機２２に送信するようにしてもよい。留守番電話センター１８は、例えば、ブラウザの画面として表示させるデータを送信してもよいし、リンクを有する画面として表示させるデータを送信してもよい。
【０１２０】
ここで、通信システム１０は、留守番電話センター１８でより多くの情報を処理し、記憶させることができる。以下、通信システム１０で実行する処理の例について説明する。図１８から図２２を用いて、通信システム１０が、携帯電話機２２の利用者が実行した買い物に関する情報の収集や課金の処理を実行する一例について説明する。
【０１２１】
図１８は、通信システムの一部を拡大して示すブロック図である。通信システム１０は、図１８に示すインターネット通信網１４に接続されている端末３６ａを小売店の端末とした場合の例となる。小売店の端末３６ａは、利用者が購入した商品の値段を算出し、精算処理を実行する電子レジスター２２０を有する。また、図１０は、電子レジスター２２０と情報の交換が可能な携帯電話機２２ａを示す。
【０１２２】
携帯電話機２２ａは、通信部５０と、操作部５２と、表示部５４と、制御部５６と、記憶部５８と、赤外線通信部２１２と、カメラ２１４と、非接触通信部２１６と、を有する。通信部５０と、操作部５２と、表示部５４と、制御部５６と、記憶部５８と、は、上述した携帯電話機２２の各部と同じ構成であるので、説明を省略する。
【０１２３】
赤外線通信部２１２は、赤外線を用いて、データの送受信を行う。赤外線通信部２１２は、通信可能な範囲内にある他の赤外線通信部と通信を確立することで、データの送受信を行うことができる。なお、本実施形態では、赤外線を用いた通信として説明するが、携帯電話機２２ａは、赤外線通信部に換えて、近距離で無線通信を行う近距離通信部を用いることもできる。近距離通信部としては、Bluetooth（登録商標）や、無線ＬＡＮを用いたものがある。カメラ２１４は、画像を取得する撮影装置である。カメラ２１４は、視野角に含まれる領域を画像として取得する。非接触通信部２１６は、ＩＣタグ（ＲＦＩＤ）に含まれる情報を読み取る装置である。非接触通信部２１６は、所定の範囲内にあるＩＣタグに含まれる情報を読み取ることができる。
【０１２４】
次に、電子レジスター２２０は、買い物情報検出部２２２と、出力情報制御部２２４と、購入者情報取得部２２６と、通信部２２８と、赤外線通信部２３０と、表示部２３２と、を有する。なお、電子レジスター２２０は、上記構成以外にも、電子レジスターつまり買い物の精算を行う装置として必要な各種機能、例えばレシートを出力する機能や、買い物された商品を手入力する操作パネル、金銭を収納する収納部、各部の動作を制御する制御部等を備えている。
【０１２５】
買い物情報検出部２２２は、購入対象の物品の情報を読み取る装置である。具体的には、買い物情報検出部２２２は、バーコードリーダー、ＩＣタグリーダー、操作パネル等である。買い物情報検出部２２２は、購入対象の物品の値段に加え、物品の識別情報を取得する。出力情報制御部２２４は、取得した情報を加工する処理や、加工した情報をどこに出力するか等の処理を各部に実行させる。購入者情報取得部２２６は、買い物を行っている購入者の情報を取得する。購入者情報取得部２２６は、赤外線通信部２３０や操作部に入力された操作に基づいて、購入者の情報を取得する。
【０１２６】
通信部２２８は、端末３６ａとデータの送受信を行う。赤外線通信部２３０は、赤外線通信部２１２と同様に赤外線を用いて、データの送受信を行う。表示部２３２は、画像を表示させる表示装置である。
【０１２７】
また、本実施形態では、電子レジスター２２０を端末３６ａとは別体としたが、これに限定されない。通信システム１０は、電子レジスター２２０と端末３６ａとが一体となっていてもよい。また、通信システム１０は、１つの端末３６ａで複数の電子レジスター２２０を管理してもよい。
【０１２８】
次に、図１９及び図２０を用いて、携帯電話機２２ａの所有者が、電子レジスター２２０が配置された小売店で物品を購入する際に、電子レジスター２２０及び携帯電話機２２ａで実行する処理について説明する。図１９は、電子レジスター及び端末で実行する処理動作の一例を示すフローチャートである。
【０１２９】
電子レジスター２２０は、ステップＳ２０２として、買い物情報検出部２２２を用いて、買い物情報を取得する。つまり、小売店で販売しており、所有者が購入すると意思表示した物品を特定し、その物品の情報を買い物情報として取得する。
【０１３０】
電子レジスター２２０は、ステップＳ２０２で買い物情報を検出したら、ステップＳ２０４として、買い物情報を携帯電話機に出力する。具体的には、電子レジスター２２０は、ステップＳ２０４として、赤外線通信部２３０を用いて、買い物を行う携帯電話機２２ａの赤外線通信部２１２との通信を確立し、ステップＳ２０２で取得した買い物情報を携帯電話機２２ａに送る。ここで、買い物情報は、携帯電話機２２ａの所有者が何を何個購入しようとしているかの情報や、購入しようとしている物品の詳細情報や、画像である。また買い物情報には、購入する物品の製造元の情報や、販売している小売店（電子レジスター２２０が設置されている小売店）の情報等を含んでもよい。電子レジスター２２０は、表示部２３２に買い物情報を表示させたり、買い物情報にリンクしたＱＲコード（登録商標）を表示させることで、買い物情報を出力してもよい。
【０１３１】
電子レジスター２２０は、ステップＳ２０４で買い物情報を携帯電話機に出力したら、ステップＳ２０６として、購入者情報を取得する。具体的には、電子レジスター２２０は、赤外線通信部２３０を用いて、買い物を行う携帯電話機２２ａの赤外線通信部２１２との通信を確立し、携帯電話機２２ａから購入者の情報を取得する。ここで、購入者の情報としては、携帯電話機２２ａの電話番号を含む各種情報である。購入者の情報としては、携帯電話機２２ａに記憶された各種個人情報を含めることができ、例えば、メールアドレス、氏名、性別、年齢、生年月日等を含めることができる。携帯電話機２２ａは、送信する購入者の情報を設定により選択することができる。なお、ステップＳ２０４とステップＳ２０６の処理は、並行して行ってもよいし、実行する順序が逆でもよい。また、電子レジスター２２０は、ステップＳ２０４、Ｓ２０６の処理と並行して、買い物の清算を行う。清算方法としては、現金やクレジットカードに加え、携帯電話機２２ａが備える支払い機能、例えば電子マネーで清算してもよい。
【０１３２】
電子レジスター２２０は、ステップＳ２０４、２０６の処理を実行したら、ステップＳ２０８として、買い物情報と購入者情報とを対応付けて留守番電話センター１８に送信し、本処理を終了する。
【０１３３】
次に、図２０を用いて携帯電話機２２ａで実行される処理について説明する。図２０は、携帯電話機で実行する処理動作の一例を示すフローチャートである。なお、図２０に示すよりは、携帯電話機２２ａが、買い物の清算処理も実行する場合の例である。携帯電話機２２ａは、ステップＳ２１０として、買い物情報を受信する。具体的には、携帯電話機２２ａは、赤外線通信部２１２を用いて、電子レジスター２２０と通信を行い、買い物情報を受信する。
【０１３４】
携帯電話機２２ａは、ステップＳ２１０で買い物情報を受信したら、ステップＳ２１２として買い物情報の承認処理を検出する。なお、承認処理は、買い物を承認する操作を入力する画面を表示させ、携帯電話機２２ａの利用者が買い物を承認する操作を検出する処理である。
【０１３５】
携帯電話機２２ａは、ステップＳ２１２で承認処理を実行したら、ステップＳ２１４として、買い物に対する支払い処理を実行する。具体的には、携帯電話機２２ａは、承認処理に基づいて、買い物情報の清算金額を電子マネーで電子レジスター２２０に支払う処理を実行する。なお、電子マネーから清算金額を減額する処理は、電子レジスター２２０で実行してもよい。
【０１３６】
携帯電話機２２ａは、ステップＳ２１４で支払い処理を実行したら、ステップＳ２１６として、購入者情報を電子レジスター２２０に送信し、本処理を終了する。携帯電話機２２ａは、ステップＳ２１２、ステップＳ２１４の処理を実行しなくてもよい。例えば、現金で清算する場合、携帯電話機２２ａは、ステップＳ２１４の処理を行わない。
【０１３７】
通信システム１０は、図１９及び図２０の処理を実行することで、端末３６ａ及びレジスター２２０と、携帯電話機２２ａと、の間で情報の交換を行い、買い物情報の送受信、購入者情報の送受信を行うことができる。これにより、通信システム１０は、買い物を行った携帯電話機２２ａの所有者の情報を端末３６ａが取得することができ、取得した情報を留守番電話センター１８に送ることで、留守番電話センター１８に購入者ごとの買い物の情報を蓄積することができる。また、端末３６ａも自身の小売店で商品を購入した利用者の情報を蓄積することができる。また、本実施形態では、端末３６ａ及び電子レジスター２２０から買い物情報及び購入者情報を送信したが、買い物情報及び購入者情報を携帯電話機２２ａから留守番電話センター１８に送信するようにしてもよい。
【０１３８】
次に、図２１及び図２２を用いて、留守番電話センター１８が取得した情報に対して実行する処理の一例について説明する。図２１は、留守番電話センターで実行する処理動作の一例を示すフローチャートである。
【０１３９】
留守番電話センター１８は、ステップＳ２２０として、端末３６ａから送信された買い物情報及び購入者情報を受信する。留守番電話センター１８は、ステップＳ２２０で情報を受信したら、ステップＳ２２２として、購入者情報に基づいて携帯電話機の利用者を特定する。例えば、留守番電話センター１８は、購入者情報に含まれる情報、例えば電話番号と、記憶部４４の個人データ４４ｅと、を対応付けることで、買い物を行った利用者の個人データ４４ｅを特定する。
【０１４０】
留守番電話センター１８は、ステップＳ２２２で購入者である利用者を特定したら、ステップＳ２２４として、買い物情報を利用者に対応付けて保存する。つまり、留守番電話センター１８は、個人データ４４ｅの購入者である携帯電話機２２ａの利用者の項目に買い物情報を保存する。
【０１４１】
留守番電話センター１８は、ステップＳ２２４で買い物情報を保存したら、ステップＳ２２６として、情報を提供した利用者に対してポイントを付与する。具体的には、留守番電話センター１８は、買い物情報に対応付けられた利用者に対してポイントを付与する。また、必要に応じて、買い物情報及び購入者情報を提供した端末（小売店）に対してもポイントを付与してもよい。留守番電話センター１８は、ポイントを付与したら、本処理を終了する。
【０１４２】
通信システム１０は、買い物情報を提供した利用者に対してポイントを付与することで、利用者からの買い物情報の提供を促進することができる。つまり、利用者に対して、買い物の際に、携帯電話機の情報を提供する動機付けとすることができる。これにより、通信システム１０は、買い物情報と利用者との対応関係の情報を留守番電話センター１８により多く蓄積することができる。
【０１４３】
図２２は、留守番電話センターで実行する処理動作の一例を示すフローチャートである。図２２に示す処理は、留守番電話センター１８が蓄積した買い物情報を処理する一例を示している。留守番電話センター１８は、ステップ２３０で情報の提供要求があるかを判定する。情報の提供とは、買い物情報を解析した結果の提供である。留守番電話センター１８は、ステップＳ２３０で情報の提供要求なし（ステップＳ２３０でＮｏ）と判定した場合、本処理を終了する。
【０１４４】
留守番電話センター１８は、ステップＳ２３０で情報の提供要求あり（ステップＳ２３０でＹｅｓ）と判定した場合、ステップＳ２３１として、対応する利用者情報と買い物情報とを抽出する。具体的には、情報の提供の要求には、提供する情報の条件が含まれており、その条件に一致する利用者情報と買い物情報との組合せを抽出する。例えば、購入した商品、購入時期、利用者の年齢、性別等が抽出の条件として用いることができる。
【０１４５】
留守番電話センター１８は、ステップＳ２３１で情報の抽出を行ったら、ステップＳ２３２として、個人情報の一部を削除する。留守番電話センター１８は、利用者情報に含まれる情報のうち、外部に提供する必要のない個人情報を削除する。留守番電話センター１８は、氏名、電話番号、メールアドレス等を削除し、年齢、性別、使用地域等の情報を残す。
【０１４６】
留守番電話センター１８は、ステップＳ２３２で個人情報の一部を削除したら、ステップＳ２３３として、利用者情報と買い物情報との対応関係を解析する。具体的には、抽出した買い物データと利用者情報の組合せに対して統計処理等を行う。
【０１４７】
留守番電話センター１８は、ステップＳ２３３で解析を実行したら、ステップＳ２３４として、解析結果を情報の要求者に提供し、ステップＳ２３６として、情報の要求者から利用料を取得し、ステップＳ２３８として、情報を抽出した利用者に対して、ポイントを付与し、本処理を終了する。
【０１４８】
通信システム１０は、このように、買い物時に買い物データと携帯電話機の情報を交換することで、各利用者の買い物の情報を留守番電話センターに蓄積させることができる。これにより、通信システム１０は、個人情報と買い物の情報とを詳細に蓄積することができる。これにより、年齢、地域、性別等による買い物嗜好や動向をより詳細かつ高い精度で分析することができる。通信システム１０は、分析結果を提供することで、提供費用を取得することができる。また、分析結果を取得したものは、より有益な販売情報、商品開発情報、市場調査情報を得ることができる。これにより、通信システム１０は、利用者により多くのポイントを提供することができ、利用者が留守番電話サービスを利用する際の費用面での負荷を低減することができる。また、通信システム１０は、利用者の一部の個人情報を削除することで、利用者が特定されることを抑制することができる。
【０１４９】
なお、端末３６ａは、買い物の概要の情報、例えば金額の情報のみを短時間で出力し、詳細な買い物情報を一日１回まとめて送信するようにしてもよい。これにより、通信の付加を低減することができる。また、電子レジスター２１０は、表示部に買い物情報としてデータの提供により加算されるポイントの情報も合わせて表示させてもよい。これにより、利用者に情報の提供を促すことができる。
【０１５０】
また、携帯電話機２２ａは、上述したように、購入した商品に関する情報を自機で取得し、購入した情報を留守番電話センター１８に提供してもよい。この場合、携帯電話機２２ａは、上述したように電子レジスターから買い物情報を取得する以外に、カメラでＱＲコード（登録商標）を読み取って購入した商品の情報を取得したり、商品のＩＣタグを読み取って、購入した商品の情報を取得したりしてもよい。また、この場合、読み取った商品の情報は、当該商品の製造者（企業）が企画した「景品や海外旅行の応募要項」、「おまけ申し込み要項」、「アンケート応募要項」等に応募するための情報が追加されていることが好ましい。これにより、利用者が商品の情報を読み取る可能性をより高くすることができる。また、商品の情報には、商品１つごとに識別される記号、連続番号やユーコード（ｕｃｏｄｅ）等が含まれていることが好ましい。これにより、１つの商品の購入情報が複数回提供されることを抑制でき、商品の購入情報をより高い精度で蓄積することができる。
【０１５１】
また、通信システム１０は、携帯電話機に対応付けられたクレジットカードの利用時にクレジットカード会社サーバから携帯電話機に対してメールを送信するようにしてもよい。図２３は、クレジッドカード会社サーバで実行する処理動作の一例を示すフローチャートである。図２４は、留守番電話センターで実行する処理動作の一例を示すフローチャートである。
【０１５２】
クレジットカード会社サーバ３２は、ステップＳ２４０として、小売店等の端末３６から買い物情報と購入者情報とを受信する。ここで、購入者情報は、クレジットカードの番号を含む。また買い物情報は、利用料金に加え、購入した商品の情報も含まれる。
【０１５３】
クレジットカード会社サーバ３２は、ステップＳ２４０で情報を受信したら、ステップＳ２４１として、購入者情報に基づいて利用者の電話番号を特定する。ここで、クレジットカード会社サーバ３２は、利用者の関する情報として、クレジットカードや、氏名に加え、携帯電話機の電話番号の情報を含んでいる。なお、メールアドレスの情報を含んでいてもよい。
【０１５４】
クレジットカード会社サーバ３２は、ステップＳ２４１で電話番号を特定したら、ステップＳ２４２として、買い物情報に利用者の電話番号を対応付けて留守番電話センターに送信する。つまり、クレジットカード会社サーバ３２は、買い物を行った利用者の電話番号を特定して、買い物情報と電話番号との組合せの情報を留守番電話センター１８に送信する。
【０１５５】
クレジットカード会社サーバ３２は、ステップＳ２４２で留守番電話センター１８にデータを送信したら、ステップＳ２４４として、認証処理を要求する設定があるかを判定する。認証処理を要求する設定とは、利用者の携帯電話機によって買い物を購入する処理の認証を要求する設定である。つまりクレジットカードの利用に対して、利用者の携帯電話機による認証の処理を要求する設定である。クレジットカード会社サーバ３２は、ステップＳ２４４で認証処理の要求の設定がない（ステップＳ２４４でＮｏ）と判定した場合、ステップＳ２４８に進む。
【０１５６】
クレジットカード会社サーバ３２は、ステップＳ２４４で認証処理の要求の設定がある（ステップＳ２４４でＹｅｓ）と判定した場合、ステップＳ２４６として、認証を確認したかを判定する。つまり、利用者の携帯電話機で認証する操作が入力されたことを確認したか、利用者の携帯電話機で実行された認証処理の情報が到達したかを判定する。なお、認証処理は、携帯電話機から留守番電話センター１８を介して送信されたり、管理サーバ１６を介してメールで送信されたりする。
【０１５７】
クレジットカード会社サーバ３２は、ステップＳ２４６で認証を確認していない（ステップＳ２４６でＮｏ）と判定した場合、ステップＳ２４６の処理を再び実行する。クレジットカード会社サーバ３２は、ステップＳ２４６で認証を確認した（ステップＳ２４６でＹｅｓ）と判定した場合、また、ステップＳ２４４でＮｏと判定した場合、ステップＳ２４８として、購入者に対する課金処理を実行し、本処理を終了する。
【０１５８】
次に、図２４を用いて、留守番電話センター１８で実行する処理について説明する。留守番電話センター１８は、ステップＳ２５０として、買い物情報と利用者の電話番号の情報とを受信する。つまり、留守番電話センター１８は、クレジットカード会社サーバ３２から送信されたデータを受信する。
【０１５９】
留守番電話センター１８は、ステップＳ２５０で、データを受信したら、ステップＳ２５１として、利用者の電話番号からメールアドレスを抽出する。つまり、個人データ４４ｅに記憶されている情報に基づいて、利用者の電話番号からメールアドレスを特定する。
【０１６０】
留守番電話センター１８は、ステップＳ２５１でメールアドレスを抽出したら、ステップＳ２５２として、買い物情報と利用者の情報に基づいて、買い物確認のメールを作成する。買い物確認のメールとは、クレジットカードを利用して商品の購入を行う処理を実行したかを確認するメールであり、購入した物品の情報や、利用するクレジットカードの情報を含む。
【０１６１】
留守番電話センター１８は、ステップＳ２５２で、メールを作成したら、ステップＳ２５４として、認証処理を要求する設定であるかを判定する。留守番電話センター１８は、例えば、個人データ４４ｅに記憶されている情報に基づいて、認証処理を要求する設定であるかを判定する。留守番電話センター１８は、ステップＳ２５４で認証処理を要求しない設定である（ステップＳ２５４でＮｏ）と判定した場合、ステップＳ２５８に進む。
【０１６２】
留守番電話センター１８は、ステップＳ２５４で認証処理を要求する設定である（ステップＳ２５４でＹｅｓ）と判定した場合、ステップＳ２５６として、認証処理用の画面、処理プログラムが追加された返信プログラムを作成し、メールに追加する。
【０１６３】
留守番電話センター１８は、ステップＳ２５６で返信プログラムを追加したら、またはステップＳ２５４でＮｏと判定したら、ステップＳ２５８として、利用者のメールアドレスに作成したメールを送信して、本処理を終了する。
【０１６４】
通信システム１０は、以上のように、携帯電話機からだけではなく、クレジットカード会社サーバ３２から留守番電話センター１８にデータを送信し、留守番電話センター１８から対象の携帯電話機に返信プログラム付きのメールを送信させることができる。また、このメールの送信時に、上述したようにメールまたは返信プログラムに広告画像を添付することで上述と同様の効果を得ることができる。
【０１６５】
通信システム１０は、クレジットカード会社サーバ３２がクレジットカードの利用時にその情報をメールで携帯電話機に送信することで、携帯電話機２２ａの利用者によってクレジットカードが適正に使用されているかを確認させることができる。また、通信システム１０は、携帯電話機２２ａで承認処理が実行されたことを検出したら、クレジットカードの課金処理を実行することで、クレジットカードが不正に使用される恐れを低減することができる。また、通信システム１０は、承認処理を実行しないことで、取引を迅速に終了させることができる。例えば、利用者が携帯電話機を所持していない場合であっても、クレジットカードを利用することができる。また、メールを送信することで不正な利用を迅速に発見することができる。
【０１６６】
また、通信システム１０は、クレジットカード会社サーバ３２がクレジットカードの利用時にその情報をメールで携帯電話機に送信する場合、留守番電話センター１８を経由させることで、留守番電話センター１８に買い物の情報を蓄積させることができる。これにより、上述したように、利用者と買い物との関係の情報をさらに蓄積させることができ、より有益な分析が可能となる。
【０１６７】
ここで、通信システム１０は、クレジットカード会社サーバ３２がクレジットカードに対して複数の電話番号（または複数のメールアドレス）を記憶させることが好ましい。具体的には、クレジットカードの所有者の携帯電話機２２ａの電話番号に加え、家族、親族、後見人、利用者が特定した第三者の電話番号またはメールアドレスを対応付けておくことが好ましい。これにより、通信システム１０は、クレジットカードの利用の情報を複数の携帯電話機に送信することができる。また、複数の携帯電話機による承認が必要な設定とすることでクレジットカードをより安全に利用することができる。
【０１６８】
また、通信システム１０は、クレジットカードに対して自社のセキュリティー部門の電話番号、メールアドレスを対応付け、クレジットカードの利用時にクレジットカード会社のセキュリティー部門にも情報を送信するようにしてもよい。セキュリティー部門は、当該クレジットカードの利用履歴からみて異常な金額、異常な利用回数、異常な時間帯、携帯電話機の位置情報と異なる場所でのクレジットカードの利用であるか等を判定し、異常がある判定した場合、クレジットカードの利用を却下することができる。
【０１６９】
通信システム１０は、このようにクレジットカードの利用に対する安全性を高くできることで、留守番電話センター１８を利用したメールの送受信のシステム、買い物情報の蓄積のシステムに対する信頼性をタックすることができ、システムに対する社会的信用を得ることができる。
【０１７０】
また、通信システム１０は、携帯電話機に対応付けられた銀行口座の利用時に銀行サーバから携帯電話機に対してメールを送信するようにしてもよい。図２５は、銀行サーバで実行する処理動作の一例を示すフローチャートである。図２６は、留守番電話センターで実行する処理動作の一例を示すフローチャートである。
【０１７１】
銀行サーバ３４は、ステップＳ２６０として、振込み情報とを受信する。ここで、振込み情報は、銀行口座の番号や利用者の情報、振込み先の情報、振込み金額の情報を含む。
【０１７２】
銀行サーバ３４は、ステップＳ２６０で情報を受信したら、ステップＳ２６１として、振込み情報に基づいて利用者の電話番号を特定する。ここで、銀行サーバ３４は、利用者の関する情報として、銀行口座の番号や、氏名に加え、携帯電話機の電話番号の情報を含んでいる。なお、メールアドレスの情報を含んでいてもよい。
【０１７３】
銀行サーバ３４は、ステップＳ２６１で電話番号を特定したら、ステップＳ２６２として、振込み情報に利用者の電話番号を対応付けて留守番電話センターに送信する。つまり、銀行サーバ３４は、買い物を行った利用者の電話番号を特定して、振込み情報と電話番号との組合せの情報を留守番電話センター１８に送信する。
【０１７４】
銀行サーバ３４は、ステップＳ２６２で留守番電話センター１８にデータを送信したら、ステップＳ２６４として、認証処理を要求する設定があるかを判定する。認証処理を要求する設定とは、利用者の携帯電話機によって振り込み処理の認証を要求する設定である。つまり銀行口座の利用に対して、利用者の携帯電話機による認証の処理を要求する設定である。銀行サーバ３４は、ステップＳ２６４で認証処理の要求の設定がない（ステップＳ２６４でＮｏ）と判定した場合、ステップＳ２６８に進む。
【０１７５】
銀行サーバ３４は、ステップＳ２６４で認証処理の要求の設定がある（ステップＳ２６４でＹｅｓ）と判定した場合、ステップＳ２６６として、認証を確認したかを判定する。つまり、利用者の携帯電話機で認証する操作が入力されたことを確認したか、利用者の携帯電話機で実行された認証処理の情報が到達したかを判定する。なお、認証処理は、携帯電話機から留守番電話センター１８を介して送信されたり、管理サーバ１６を介してメールで送信されたりする。
【０１７６】
銀行サーバ３４は、ステップＳ２６６で認証を確認していない（ステップＳ２６６でＮｏ）と判定した場合、ステップＳ２６６の処理を再び実行する。銀行サーバ３４は、ステップＳ２６６で認証を確認した（ステップＳ２６６でＹｅｓ）と判定した場合、また、ステップＳ２６４でＮｏと判定した場合、ステップＳ２６８として、振り込み処理を実行し、本処理を終了する。
【０１７７】
次に、図２６を用いて、留守番電話センター１８で実行する処理について説明する。留守番電話センター１８は、ステップＳ２７０として、振込み情報と利用者の電話番号の情報とを受信する。つまり、留守番電話センター１８は、銀行サーバ３４から送信されたデータを受信する。
【０１７８】
留守番電話センター１８は、ステップＳ２７０で、データを受信したら、ステップＳ２７１として、利用者の電話番号からメールアドレスを抽出する。つまり、個人データ４４ｅに記憶されている情報に基づいて、利用者の電話番号からメールアドレスを特定する。
【０１７９】
留守番電話センター１８は、ステップＳ２７１でメールアドレスを抽出したら、ステップＳ２７２として、振込み情報と利用者の情報に基づいて、振込み確認のメールを作成する。振り込み確認のメールとは、銀行口座の預金を他の口座に振り込む処理を実行したかを確認するメールであり、振込み先の情報、振込み金額や利用する銀行口座の情報を含む。
【０１８０】
留守番電話センター１８は、ステップＳ２７２で、メールを作成したら、ステップＳ２７４として、認証処理を要求する設定であるかを判定する。留守番電話センター１８は、例えば、個人データ４４ｅに記憶されている情報に基づいて、認証処理を要求する設定であるかを判定する。留守番電話センター１８は、ステップＳ２７４で認証処理を要求しない設定である（ステップＳ２７４でＮｏ）と判定した場合、ステップＳ２７８に進む。
【０１８１】
留守番電話センター１８は、ステップＳ２７４で認証処理を要求する設定である（ステップＳ２７４でＹｅｓ）と判定した場合、ステップＳ２７６として、認証処理用の画面、処理プログラムが追加された返信プログラムを作成し、メールに追加する。
【０１８２】
留守番電話センター１８は、ステップＳ２７６で返信プログラムを追加したら、またはステップＳ２７４でＮｏと判定したら、ステップＳ２７８として、利用者のメールアドレスに作成したメールを送信して、本処理を終了する。
【０１８３】
通信システム１０は、以上のように、銀行サーバ３４から留守番電話センター１８にデータを送信し、留守番電話センター１８から対象の携帯電話機に返信プログラム付きのメールを送信させることができる。また、このメールの送信時に、上述したようにメールまたは返信プログラムに広告画像を添付することで上述と同様の効果を得ることができる。
【０１８４】
通信システム１０は、銀行サーバ３４が銀行口座からの振込の利用時にその情報をメールで携帯電話機に送信することで、携帯電話機２２ａの利用者によって銀行口座の預金が適正に使用されているか、振込み先が問題ないかを確認させることができる。また、通信システム１０は、携帯電話機２２ａで承認処理が実行されたことを検出したら、振込み処理を実行することで、預金が不正に使用される恐れを低減することができる。また、通信システム１０は、承認処理を実行しないことで、取引を迅速に終了させることができる。また、メールを送信することで不正な利用を迅速に発見することができる。
【０１８５】
また、通信システム１０は、銀行サーバ３４が振込み機能の利用時にその情報をメールで携帯電話機に送信する場合、留守番電話センター１８を経由させることで、留守番電話センター１８に振込みの情報を蓄積させることができる。これにより、買い物の代金としての振込みを把握したり、各種振り替えた金額や寄付金の流れを把握したりすることが可能となり、より有益な分析が可能となる。
【０１８６】
ここで、通信システム１０は、銀行サーバ３４が銀行口座に対して複数の電話番号（または複数のメールアドレス）を記憶させることが好ましい。具体的には、銀行口座の所有者の携帯電話機２２ａの電話番号に加え、家族、親族、後見人、利用者が特定した第三者の電話番号またはメールアドレスを対応付けておくことが好ましい。これにより、通信システム１０は、振込み処理の情報を複数の携帯電話機に送信することができる。また、複数の携帯電話機による承認が必要な設定とすることで振込み処理をより安全に利用することができ、例えば、振込み詐欺にあうことを抑制することができる。
【０１８７】
また、通信システム１０は、振込み処理に対して自社のセキュリティー部門の電話番号、メールアドレスを対応付け、振込み時に銀行のセキュリティー部門にも情報を送信するようにしてもよい。セキュリティー部門は、当該銀行口座の利用履歴からみて異常な金額、異常な利用回数、異常な時間帯、普段使用されるＡＴＭと異なる場所での利用であるか等を判定し、異常がある判定した場合、振込み処理を却下することができる。
【０１８８】
通信システム１０は、このように振込み処理に対する安全性を高くできることで、留守番電話センター１８を利用したメールの送受信のシステム、買い物情報の蓄積のシステムに対する信頼性をタックすることができ、システムに対する社会的信用を得ることができる。
【０１８９】
また、通信システム１０は、利用者が各種処理で蓄積したポイントを他の利用者や、特定の対象者に振替られることが好ましい。図２７は、留守番電話センターで実行する処理動作の一例を示すフローチャートである。
【０１９０】
留守番電話センター１８は、ステップＳ２８０として、ポイントに対応する処理操作を検出したら、ステップＳ２８１として、当該処理操作を入力した利用者のポイント情報を抽出する。留守番電話センター１８は、ポイント情報を抽出したら、利用者の携帯電話機にポイントの情報を提供してもよい。留守番電話センター１８は、ステップＳ２８１でポイント情報を抽出したら、ステップＳ２８２として、利用者のポイントの処理条件を抽出する。処理条件とは、利用者が入力したポイントの利用方法である。
【０１９１】
留守番電話センター１８は、ステップＳ２８２で処理条件を抽出したら、ステップＳ２８３として、ポイントの振替操作ありかを判定する。つまり、利用者によってポイントを振り替える処理が入力されたかを判定する。留守番電話センター１８は、ステップＳ２８３で振替操作なし（ステップＳ２８３でＮｏ）と判定した場合、本処理を終了する。
【０１９２】
留守番電話センター１８は、ステップＳ２８３で振替操作あり（ステップＳ２８３でＹｅｓ）と判定した場合、ステップＳ２８４として、同一条件での振替かを判定する。つまり、留守番電話センター１８は、処理条件で設定された振替先が同じ換算のポイントであるかを判定する。
【０１９３】
留守番電話センター１８は、ステップＳ２８４で同一条件ではない（ステップＳ２８４でＮｏ）と判定した場合、ステップＳ２８６として、換算条件に基づいてポイントの換算を実行する。つまり、条件に基づいてポイントを変換する。留守番電話センター１８は、換算処理を行ったら、ステップＳ２８７に進む。
【０１９４】
留守番電話センター１８は、ステップＳ２８４で同一条件である（ステップＳ２８４でＹｅｓ）と判定した場合、また、ステップＳ２８６の処理を実行した場合、ステップＳ２８７として、振替先のポイントを追加し、ステップＳ２８８で振替元のポイントを減算する。つまり、処理条件に基づいて、条件に対応するポイント数を振替先に加算し、その分のポイント数を振替元、つまり利用者のポイントから減算する。留守番電話センター１８は、ステップＳ２８８の処理を行ったら、本処理を終了する。
【０１９５】
通信システム１０は、図２７に示すように蓄積されたポイントを振替可能とすることで、ポイントを有効活用することができ、留守番電話センター１８を介したサービスをより有効に活用することができる。なお、ポイントは、上述したように、広告画像の閲覧、広告画像からの商品の購入、買い物情報の提供、アンケートへの回答等、種々の手段で獲得することができる。振替先としては、家族、親族、友人等を対象とすることができる。また、振替先としては、特定の人物の携帯電話機だけではなく、非営利団体等に寄付金としたり、上述したように買い物の際の資金としたり、電話料金に充当したりすることができる。また、通信システム１０は、ポイントの種類によって、ポイントの換算、変換を行うことで、他のサービスのポイントと相互利用を行うことも可能となる。
【符号の説明】
【０１９６】
１０  通信システム
１２  電話通信網
１４  インターネット通信網
１６  管理サーバ
１８  留守番電話センター
２０  基地局
２２  携帯電話機
２４  固定電話機
３０  広告主用端末
３２  クレジットカード会社サーバ
３４  銀行サーバ
３６  端末
４０、５０  通信部
４２、５６  制御部
４４、５８  記憶部
４４ａ  留守番電話メールデータ
４４ｂ  返信プログラムデータ
４４ｃ  広告データ
４４ｄ  統計分析データ
４４ｅ  個人データ
５２  操作部
５４  表示部
７０  操作画面
７２、７４、７６  入力項目
７７ａ、７７ｂ  ボタン
【図１】
2014039197.tif 000003
【図２】
2014039197.tif 000004
【図３】
2014039197.tif 000005
【図４】
2014039197.tif 000006
【図５】
2014039197.tif 000007
【図６】
2014039197.tif 000008
【図７】
2014039197.tif 000009
【図８】
2014039197.tif 000010
【図９】
2014039197.tif 000011
【図１０】
2014039197.tif 000012
【図１１】
2014039197.tif 000013
【図１２】
2014039197.tif 000014
【図１３】
2014039197.tif 000015
【図１４】
2014039197.tif 000016
【図１５】
2014039197.tif 000017
【図１６】
2014039197.tif 000018
【図１７】
2014039197.tif 000019
【図１８】
2014039197.tif 000020
【図１９】
2014039197.tif 000021
【図２０】
2014039197.tif 000022
【図２１】
2014039197.tif 000023
【図２２】
2014039197.tif 000024
【図２３】
2014039197.tif 000025
【図２４】
2014039197.tif 000026
【図２５】
2014039197.tif 000027
【図２６】
2014039197.tif 000028
【図２７】
2014039197.tif 000029